(57)【特許請求の範囲】
【請求項１】
ディスプレイに光を供給するための光学構造であって、
照明を透過するように作動する励起源と、
前記励起源からの照明を受け取るように作動し、第１波長帯域の光を実質的に透過し、第２波長帯域の光を実質的に反射するように作動する、入力フィルタと、
複数のエミッタを有するエミッタ領域であって、前記エミッタ領域が、少なくとも前記第１波長帯域の光を受け取るように作動し、前記複数のエミッタが少なくとも前記第１波長帯域の光によって励起され、第３波長帯域の光を放射するように作動する、エミッタ領域と、
少なくとも前記エミッタ領域からの前記第３波長帯域の光を受け取るように作動し、第４波長帯域の光の帯域幅が前記第３波長帯域の光の帯域幅よりも狭い第４波長帯域の光を少なくとも出力するように作動する、出力フィルタと、
を含み、前記入力フィルタは、さらに、前記エミッタ領域によって生成された前記第３波長帯域の光を受け取り、前記第３波長帯域の光の帯域幅外の波長の光を前記エミッタ領域に向けて戻すように方向付けるように作動する、ディスプレイに光を供給するための光学構造。
【請求項２】
前記入力フィルタがダイクロイックフィルタを含み、前記出力フィルタがダイクロイックフィルタを含む、請求項１に記載のディスプレイに光を供給するための光学構造。
【請求項３】
少なくとも前記入力フィルタ、前記エミッタ領域、及び前記出力フィルタを囲むキャビティを更に含み、前記キャビティが前記励起源からの照明を受け取るように作動する、請求項１又は２に記載のディスプレイに光を供給するための光学構造。
【請求項４】
前記キャビティが白色内壁又は金属化内壁のうちの少なくとも１つを更に含む、請求項３に記載のディスプレイに光を供給するための光学構造。
【請求項５】
前記エミッタ領域からの照明を受け取るように作動する、角度減少素子を更に含む、請求項１から４のいずれか一項に記載のディスプレイに光を供給するための光学構造。
【請求項６】
前記角度減少素子がプリズムテープを更に含む、請求項５に記載のディスプレイに光を供給するための光学構造。
【請求項７】
少なくとも前記励起源からの照明を受け取るように作動する、角度変換非結像光学系を更に含む、請求項１から６のいずれか一項に記載のディスプレイに光を供給するための光学構造。
【請求項８】
前記角度変換非結像光学系が、ライトパイプ又は複合放物集光器のうちの１つである、請求項７に記載のディスプレイに光を供給するための光学構造。
【請求項９】
前記出力フィルタからの光を受け取るように作動する、角度増加素子を更に含む、請求項１から８のいずれか一項に記載のディスプレイに光を供給するための光学構造。
【請求項１０】
前記出力フィルタと少なくとも第１導光板との間に配置された光学スペーサを更に含む、請求項１から９のいずれか一項に記載のディスプレイに光を供給するための光学構造。
【請求項１１】
前記励起源と前記入力フィルタとの間に配置された積分器を更に含む、請求項３に記載のディスプレイに光を供給するための光学構造。
【請求項１２】
前記ディスプレイが立体画像のアドレッシングを受け、左側画像及び右側画像が分光された光源によって照らされるように、第１導光板及び第２導光板がスクロールされる、請求項１から１１のいずれか一項に記載のディスプレイに光を供給するための光学構造。
【請求項１３】
前記複数のエミッタが、前記入力フィルタから受け取った光よりも長い波長で光を放射するように調整される、請求項１から１２のいずれか一項に記載のディスプレイに光を供給するための光学構造。
【請求項１４】
ディスプレイのバックライティング方法であって、
照明光源から少なくとも第１波長帯域の光を供給することと、
入力フィルタにおいて前記第１波長帯域の光を受け取り、前記入力フィルタを介して前記第１波長帯域の光を透過することと、
エミッタ領域において前記第１波長帯域の光を受け取り、前記エミッタ領域内の複数のエミッタを励起し、これによって、少なくとも第２波長帯域の光を生じさせ、前記エミッタ領域を介して前記第１波長帯域の光の少なくとも一部を透過することと、
出力フィルタにおいて前記少なくとも第２波長帯域の光を受け取り、第３波長帯域の光の帯域幅が前記少なくとも第２波長の光の帯域幅よりも狭い、第３波長帯域の光を出力することと、
出力フィルタにおいて前記エミッタ領域からの前記第１波長帯域の光の少なくとも一部を受け取り、第４波長帯域の光を透過することであって、前記第４波長帯域の光の帯域幅が前記エミッタ領域からの前記第１波長帯域の光よりも狭いことと、
前記入力フィルタにおいて、前記エミッタ領域によって生成された前記第２波長帯域の光を受け取ることと、
前記第２波長帯域の光の帯域幅外の波長の光を前記エミッタ領域に向けて戻すように方向付けることと、
を含む、ディスプレイのバックライティング方法。
【請求項１５】
前記エミッタ領域において前記第２波長帯域の光の帯域幅外の波長の光を受け取ることが、前記エミッタ領域内の複数のエミッタを励起し、前記第２波長帯域の光の帯域幅内の光を生じさせることを更に含む、請求項１４に記載のディスプレイのバックライティング方法。
【請求項１６】
前記出力フィルタに向けて戻すように前記第２波長帯域の光を方向付けることを更に含む、請求項１４に記載のディスプレイのバックライティング方法。
【請求項１７】
前記出力フィルタから少なくとも第１導光板までの光を受け取り、立体画像をディスプレイにアドレッシングすることを更に含む、請求項１６に記載のディスプレイのバックライティング方法。
【請求項１８】
前記ディスプレイ上の第１画像及び第２画像が分光された光源によって照らされるように、前記導光板をスクロールすることを更に含む、請求項１７に記載のディスプレイのバックライティング方法。
【請求項１９】
高コントラストを得るために、前記ディスプレイのスイッチング期間中に照明の暗帯によって右側及び左側画像を分離することを更に含む、請求項１８に記載のディスプレイのバックライティング方法。
【請求項２０】
前記出力フィルタの通過帯域が立体視用アイウェアの通過帯域に対して赤方偏移している、前記立体視用アイウェア及び前記出力フィルタ内に隣接する通過帯域を配置することを更に含む、請求項１９に記載のディスプレイのバックライティング方法。
【請求項２１】
少なくとも２つの光学構造を用いて、第１セットの色Ｒ１Ｇ１Ｂ１及び第２セットの色Ｒ２Ｇ２Ｂ２を生じさせることを更に含む、請求項１４から２０のいずれか一項に記載のディスプレイのバックライティング方法。
【発明の詳細な説明】
【技術分野】
【０００１】
（関連出願の相互参照）
本願は、参照することによりその全体が本明細書に組み込まれる、本出願の譲受人に譲渡された米国特許出願第６１／７４９，２０８号（２０１３年１月４日出願、表題「Ｍｕｌｔｉ−ｐｒｉｍａｒｙ  ｂａｃｋｌｉｇｈｔ  ｆｏｒ  ｍｕｌｔｉ−ｆｕｎｃｔｉｏｎａｌ  ａｃｔｉｖｅ−ｍａｔｒｉｘ  ｌｉｑｕｉｄ  ｃｒｙｓｔａｌ  ｄｉｓｐｌａｙｓ」）に対する優先権を主張する、米国非仮特許出願である。
【０００２】
（発明の分野）
本明細書に開示する実施形態は、概して、直視型液晶ディスプレイ（ＬＣＤ）、より詳細には、向上した性能、新たな用途、及びそのためのアイウェアを実現するためのプロセス、アーキテクチャ、及び技術に関する。
【背景技術】
【０００３】
アクティブマトリクス型液晶ディスプレイ（ＡＭＬＣＤ）、特にテレビ及びゲーム用ディスプレイの性能の向上は、新たなバックライト技術及びＬＣＤ表示駆動技術によって実現されてきた。例えば、向上したＲＧＢスペクトルを有するＬＥＤは、従来の冷陰極蛍光ランプ（ＣＣＦＬ）を用いたディスプレイよりも良好な色域／効率を示している。
【０００４】
多原色ディスプレイ（４個以上の単原色光源を備えるディスプレイ）は、投写型ディスプレイ及び直視型ＡＭＬＣＤなどいくつかのディスプレイで実用されてきた。前者については、Ｊｏｒｋｅが、デュアルプロジェクタ構成を用いて、６原色ディスプレイを備える分割パスシステムを米国特許第６，６９８，８９０号に教示している。この方法はまた、立体表示を提供するために用いられる。通常、かかる投射型システムは、ハードウェアに対する負担がかなりより大きく、従来の３パネルの投射型システムで可能な性能（例えば、明度）を損なう。
【０００５】
ランプベースの６色ＡＭＬＣＤはまた、ハイブリッド型の空間連続法（hybrid spatial-sequential method）を用いて実用されてきた。しかしながら、各ランプの発光スペクトルを調整するのが困難であるために色域が拡大される程度は比較的緩やかである。場合によっては、単にＣＣＦＬを異なる発光スペクトルと組み合わせることにより、（非連続ではあるが）色域が拡大される。
【０００６】
単一ディスプレイを用いて立体画像を表示する手段として波長分離を用いた３Ｄが実用されてきた。いわゆるアナグリフ表示においては、スペクトルを分離することにより２重画像（two image views）を表示する。通常、互いに重ならない補色（例えば、赤とシアン）のレンズを用いる。しかしながら、従来の低コストの（着色）フィルタ技術は波長の選択性に欠けるため、各目に対してフルカラー情報を提示することができなかった。
【０００７】
別のアナグリフ法は、各目に対して提示される互いに重ならないスペクトルが向上した色の認識を提供するように選択性をより高めて光をフィルタリングすることを含む。一例においては、実質的なフルカラーが一方の目に提示され、他方の目は単色画像を受け取る。別の多重化技術においては、Ｊｏｒｋｅが教示するように、互いに重ならないＲＧＢコンテンツを各目に提示する。
【発明の概要】
【課題を解決するための手段】
【０００８】
世界の大部分において、高解像度の大型スクリーンテレビ及びフラットスクリーンのコンピュータモニタによるＣＲＴ技術の代替が成功している。表示性能における次の進歩により更なるレベルの性能及び機能が実現されるであろう。大型スクリーンアクティブマトリクス型ＬＣＤ（ＡＭＬＣＤ）の場合、技術動向は、プラズマディスプレイ技術により達成される性能に匹敵する、及び更にそれを越えるための要件により方向付けられる。
【０００９】
本開示は、（１）上級２Ｄモード、（２）６個の原色スペクトルエミッタを用いた拡大色域モード、（３）プライバシースクリーンモード、（４）２重画像（又は、チャネル多重化）モード、及び（５）立体画像モードを含む１つ以上の動作モードで動作し得る直視型ディスプレイを提供する。
【００１０】
本開示は、２セットの色の生成に用いられ得、バックライト付き立体液晶ディスプレイで用いられ得る、光学構造を更に提供する。この光学構造を用いて、より広い帯域幅の光を光学構造に戻す再利用を行って、より明るいバックライト構造を製造することができる。光学構造は、スペクトル的に異なってよく、同一の導光板を照らしてよい。光学構造は時系列法で駆動されてよく、液晶ディスプレイパネルに順次送られる左目画像及び右目画像と同期して導光板を照らす。
【００１１】
更に、本開示の直視型ディスプレイは、従来のＡＭＬＣＤ製品の競争力を阻害する性能欠陥を克服するであろう。直視型ＡＭＬＣＤディスプレイの場合、このような欠陥として、（ａ）光変調パネルの画像ホールド機能によるモーションアーチファクト、（ｂ）視野角性能の制限、（ｃ）真正面から見たコントラスト比、（ｄ）色フィルタアレイの着色剤の品質及びＣＣＦＬランプのスペクトルによる、色域の制限、（ｅ）ＣＣＦＬランプのスペクトルが最適でないことによる、出力効率の非最適性、（ｆ）ＣＣＦＬランプ中の水銀に関連する環境に対する懸念、が挙げられる。本明細書に記載の実施形態は、１つ以上の多機能モードを提供しつつ、これらの性能上の課題の１つ以上に対処し得る。ＬＥＤバックライトは、これらの課題、並びに色域の拡大、光効率の向上、コントラストの向上、コンテンツに応じた調光、積極的な色温度制御、及び連続的な色動作への対処において有益であることが証明されるであろう。
【００１２】
方法、プロセス、アーキテクチャ、及び技術の実施例を本明細書に開示するが、本開示の趣旨及び範囲から逸脱することなく他の方法、プロセス、アーキテクチャ、及び技術を用いることができる。
【図面の簡単な説明】
【００１３】
実施形態を添付図で一例として例示し、添付図では、同様の参照番号は、類似の部分を示す。
【図１】本開示による、直視型ディスプレイシステムを示す概略図である。
【図２】本開示による、直視型ディスプレイシステムを示す概略図である。
【図３】本開示による、ＬＥＤベースの走査型バックライトの実施形態を示す概略図である。
【図４Ａ】本開示による、第１セット及び第２セットのスペクトルエミッタの波長に対する強度を示すグラフである。
【図４Ｂ】本開示による、フィルタを介した場合の第１セット及び第２セットのスペクトルエミッタの波長に対する強度を示すグラフである。
【図４Ｃ】本開示による、光変調パネルに組み込まれたＲＧＢ色フィルタアレイのスケーリングしたスペクトルを示すグラフである。
【図４Ｄ】本開示による、色フィルタアレイを通った、第１セット及び第２セットのスペクトルエミッタのスペクトルを示すグラフである。
【図４Ｅ】本開示による、修正色空間（ｕ'，ｖ'）内のＲＧＢ  ３角形によって画定された光出力集合を示すＥＢＵグラフである。
【図４Ｆ】本開示による、第１セット及び第２セットのスペクトルエミッタの波長に対する強度を示すグラフである。
【図４Ｇ】本開示による、特定の白色スペクトルが色フィルタアレイの各スペクトルに入射した産物として、図４Ｆの６原色スペクトルから生じた結果を示すグラフである。
【図４Ｈ】本開示による、修正色空間（ｕ'，ｖ'）内の第１及び第２のＲＧＢ  ３角形によって画定された、図４Ｇで参照したスペクトルエミッタに対応する第１及び第２の光出力集合を示すＥＢＵグラフである。
【図４Ｉ】本開示による、第１セット及び第２セットのスペクトルエミッタによりそれぞれ照らされた第１画像及び第２画像を観察するための第１及び第２の偏光干渉フィルタを含む実施形態の透過プロファイルを示すグラフである。
【図４Ｊ】本開示による、図４Ｉの前述の偏光干渉アイウェアを介して各目へと透過された、スペクトルエミッタからの直接のスペクトルを示すグラフである。
【図４Ｋ】本開示による、各目においてバランスの取れた白色光束強度及び色を実現するように調整された、図４Ｊのスペクトルをスケーリングしたものを示すグラフである。
【図４Ｌ】本開示による、第１セット及び第２セットのスペクトルエミッタによりそれぞれ照らされた第１画像及び第２画像を観察するための第１及び第２の偏光干渉フィルタを含む別の実施形態の透過プロファイルを示すグラフである。
【図５】本開示による、黒帯挿入を用いた走査型バックライトを示す概略図である。
【図６】本開示による、走査型バックライトに関連した黒帯挿入プロセスを示す論理図である。
【図７Ａ】本開示の実施形態による、動作時のＬＥＤベースの走査型バックライトを示す概略図である。
【図７Ｂ】本開示の実施形態による、動作時のＬＥＤベースの走査型バックライトを示す概略図である。
【図７Ｃ】本開示の実施形態による、動作時のＬＥＤベースの走査型バックライトを示す概略図である。
【図７Ｄ】本開示の実施形態による、動作時のＬＥＤベースの走査型バックライトを示す概略図である。
【図７Ｅ】本開示の実施形態による、動作時のＬＥＤベースの走査型バックライトを示す概略図である。
【図７Ｆ】本開示の実施形態による、動作時のＬＥＤベースの走査型バックライトを示す概略図である。
【図７Ｇ】本開示の実施形態による、動作時のＬＥＤベースの走査型バックライトを示す概略図である。
【図７Ｈ】本開示の実施形態による、動作時のＬＥＤベースの走査型バックライトを示す概略図である。
【図８Ａ】本開示の実施形態による、動作時の、光制御フィルムを備えたＬＥＤベースの走査型バックライトを示す概略図である。
【図８Ｂ】本開示の実施形態による、動作時の、光制御フィルムを備えたＬＥＤベースの走査型バックライトを示す概略図である。
【図８Ｃ】本開示の実施形態による、動作時の、光制御フィルムを備えたＬＥＤベースの走査型バックライトを示す概略図である。
【図８Ｄ】本開示の実施形態による、動作時の、光制御フィルムを備えたＬＥＤベースの走査型バックライトを示す概略図である。
【図８Ｅ】本開示の実施形態による、動作時の、光制御フィルムを備えたＬＥＤベースの走査型バックライトを示す概略図である。
【図８Ｆ】本開示の実施形態による、動作時の、光制御フィルムを備えたＬＥＤベースの走査型バックライトを示す概略図である。
【図８Ｇ】本開示の実施形態による、動作時の、光制御フィルムを備えたＬＥＤベースの走査型バックライトを示す概略図である。
【図８Ｈ】本開示の実施形態による、動作時の、光制御フィルムを備えたＬＥＤベースの走査型バックライトを示す概略図である。
【図９】通常の目における３つの網膜センサのスペクトル感度を表す三刺激曲線を示すグラフである。
【図１０】本開示による、バックライト構造の実施形態を示す概略図である。
【図１１】本開示による、バックライト構造の別の実施形態を示す概略図である。
【図１２】本開示による、バックライト構造の別の実施形態を示す概略図である。
【図１３】本開示による、非結像光学素子の実施形態を示す概略図である。
【図１４】本開示による、漸減する照明が補償された、ＬＣＤ透過の実施形態を示す概略図である。
【図１５】本開示による、別のバックライト構造の実施形態を示す概略図である。
【図１６】本開示による、白色キャビティアセンブリの実施形態を示す概略図である。
【図１７】本開示による、調整フィルタとアイウェアとの波長間隙を示すグラフである。
【図１８】本開示による、調整フィルタとアイウェア透過との間での青色偏移によるリークの低減を示す概略図である。
【図１９】本開示による、隣接した光学構造及び導光板部分の実施形態を示す概略図である。
【図２０】本開示による、バックライト付き立体視スクロール構造の実施形態を示す概略図である。
【発明を実施するための形態】
【００１４】
図１は、直視型ディスプレイシステム１００を示す概略図である。直視型ディスプレイシステム１００は、直視型ディスプレイ１０２と、いくつかのモードで観察するためのアイウェア１０４と、を含む。アイウェア１０４は、左目用フィルタ１０６と、右目用フィルタ１０８と、を含む。左目用フィルタ１０６及び右目用フィルタ１０８は、直視型ディスプレイ１０２から放射された第１及び第２の光束をデコードするためのリターダスタックを含んでよい。
【００１５】
直視型ディスプレイ１０２は、（１）上級２Ｄモード、（２）６個の原色スペクトルエミッタを用いた拡大色域モード、（３）プライバシースクリーンモード、（４）２重画像（又は、チャネル多重化）モード、及び（５）立体画像モードを含むいくつかの動作モードで動作してよい。拡大色域モードでは、アイウェア１０４は不要である。２〜４のモードでは、アイウェア１０４を用いて、直視型ディスプレイ１０２上の画像をデコードしてよい。以下の図面を参照して理解するであろうように、フィルタ１０６、１０８は異なる構成を有して、動作モードに従って画像をデコードしてよい。
【００１６】
図２は、直視ディスプレイ２００を示す概略図である。直視型ディスプレイ２００は、バックライト３００と、光変調パネル２１０と、バックライトコントローラ２２０と、光変調器コントローラ２３０と、バックライト電源２４０と、モードコントローラ２５０と、を含む。
【００１７】
スペクトルを分離するとき、表示性能メトリックは、白色点（並びに第１セットのスペクトルエミッタ及び第２セットのスペクトルエミッタでの白色点の整合）、色域（並びに第１セットのスペクトルエミッタ及び第２セットのスペクトルエミッタでの色座標の整合）、並びに第１セットのスペクトルエミッタ及び第２セットのスペクトルエミッタとから得られる光束強度を含んでよい。かかる表示性能は、視覚認知、表示画像用ハードウェア、実際のコンテンツ、及び第１セットのスペクトルエミッタ及び第２セットのスペクトルエミッタでの出力整合を向上させるためのソフトウェア補正を含み得る複雑な分析を含む。したがって、温度フィードバックモジュール２２４に接続された温度センサ２２２によってバックライト３００の温度管理が行われてよい。白色点、明度、及び色制御パラメータは、バックライトコントローラ２２０によって管理されてよく、この管理には、色センサ２２６及び光フィードバックモジュール２２８を通じたパラメータのフィードバックが含まれる。バックライトコントローラ２２０は、バックライト３００に含まれるスペクトルエミッタに電流を供給するバックライト電源２４０に制御信号を供給してよい。明度コントロール２４２及びそれぞれの色コントロール２４４ａ〜ｆはまた、ディスプレイ明度及びそれぞれの色強度を調整するためにバックライトコントローラ２２０に入力を提供してよい。白色点制御入力は、光変調器コントローラ２３０からのライン２３４を通じて白色点コントローラモジュール２３２が受け取ってよい。バックライト制御入力は、光変調器コントローラ２３０からのライン２３６を通じてバックライトコントローラモジュール２２０が受け取ってよい。
【００１８】
この実施形態では、モード選択は、モードコントローラ２５０を介して制御される。モードコントローラ２５０は、選択したモードに従って第１入力ビデオ信号２６２と第２入力ビデオ信号２６４とを切り替え、信号を光変調器コントローラ２３０及びバックライトコントローラ２２０に供給してよい。例えば、上級２Ｄモード及び拡大色域モードでは、単一のビデオ信号がモードコントローラ２５０に対する入力である。チャネル多重化モード及び立体画像モードでは、２つのビデオ信号２６２、２６４が直視型ディスプレイ２００に対する入力である。プライバシースクリーンモードでは、単一のビデオ信号２６２が第１画像に対する直視型ディスプレイへの入力であってよく、第２画像は、モードコントローラ２５０の画像生成機能によって合成される。画像処理機能は、モードコントローラ２５０及び／又は光変調器コントローラ２３０によって実行されてよい。図示するように、入射側偏光子２１２及び出射側偏光子２１４は、それぞれ光変調パネル２１０のいずれかの側に配置されてよい。したがって、直視型ディスプレイ２００は、観察者に対して偏光光を出力する。
【００１９】
図３は、ＬＥＤベースの走査型バックライト３００の実施形態を示す概略図である。バックライト３００は、第１セットのスペクトルエミッタ３１０と、第２セットのスペクトルエミッタ３２０と、を含む。この実施形態で示すように、境界構造３３０を用いて、光学的に分離されたサブアレイが形成されてよい。
【００２０】
ある実施形態では、第１セットのスペクトルエミッタ３１０は狭透過範囲Ｒ１、Ｇ１、Ｂ１を出力するように作動し、第２セットのスペクトルエミッタ３２０は、狭透過範囲Ｒ２、Ｇ２、Ｂ２を出力するように作動する。図示するように、スペクトルエミッタは行方向に配列されてよく、列方向では、第１セットのエミッタ３１０と第２セットのエミッタ３２０とが交互（例えば、Ｒ１、Ｒ２、Ｇ１、Ｇ２、Ｂ１、Ｂ２、...、Ｒ１、Ｒ２、Ｇ１、Ｇ２、Ｂ１、Ｂ２の順序）であっていてよいが、他の実施形態では、スペクトルエミッタの別の順序及び物理的構成を用いてよいことは明白である。境界構造３３０の付近では、照明の均質性を制御するように注意する必要がある。均一な明度及び色相は、サブアレイ間の物理的間隔の程度、サブアレイ間でのＬＥＤ輝度及び色度の整合、及びサブアレイの駆動タイミングに依存する。
【００２１】
人間の目の色識別能力は、異なる波長の光に対する網膜における各細胞の検知能力のばらつきに基づいている。網膜は、３種類の色受容細胞、つまり錐体を含む。このうちの１種類は、他の２種類とは比較的異なっており、人間が紫と認識する、波長が約４２０ｎｍの光に最も反応する（この種類の錯体は、短波長錯体又はＳ錯体と呼ばれることがある）。他の２種類は、遺伝子的かつ化学的に密接に関連する。このうちの１種類（長波長錯体又はＬ錯体と呼ばれることがある）は、人間が黄色がかった緑と認識する、波長が約５６４ｎｍの光に対して最も感度が高く、もう１種類（中波長錯体又はＭ錯体と呼ばれることがある）は、緑と認識する、波長が約５３４ｎｍの光に対して最も感度が高い。
【００２２】
光は、その波長組成がいかに複雑であっても、目によって３つの色成分に減色される。視野の各位置に対して、３種類の錯体は、それぞれに対する刺激の程度に基づいて３種類の信号を生成する。これらの値は、刺激値と呼ばれる。各種類の錯体に関する波長の関数としての反応曲線は、図９に示す。曲線は重なり合うため、一部の刺激値は、いずれの入射光の組み合わせに対しても発生しない。例えば、主として中波長／「緑色」錯体を刺激することは不可能であり、他の錯体は、ある程度の刺激を同時に受けざるを得ないであろう。すべての可能な刺激値の集合が人間の色空間を決定する。人間は、おおよそ１，０００万の異なる色を区別できると推定されている。
【００２３】
概して、Ｒ１及びＲ２の狭透過範囲は、（図９に示すように）人間の目におけるＬ錐体受容体の感度波長範囲内に実質的に存在し、Ｇ１及びＧ２の狭透過範囲は、人間の目におけるＭ錐体受容体の感度波長範囲内に実質的に存在し、Ｂ１及びＢ２の狭透過範囲は、人間の目におけるＳ錐体受容体の感度波長範囲内に実質的に存在する。本明細書で用いるとき、用語「透過範囲」は、直接出力であるか、色フィルタアレイを通ったスペクトルエミッタの産物としてかにかかわらず、スペクトルエミッタからの出力スペクトルを指す。
【００２４】
図４Ａは、第１セット及び第２セットのスペクトルエミッタの波長に対する強度を示すグラフである。第１セット及び第２セットのスペクトルエミッタ（Ｒ１、Ｒ２、Ｇ１、Ｇ２、Ｂ１、Ｂ２）のＬＥＤスペクトルは、単一のピーク発光にスケーリングされている。中心波長は、高度のスペクトル分離をもたらし、したがって、開示する動作モードにおいて分離プロセスでの光損失を少量とすることが可能となるように選択される。かかる分離はまた、拡大色域モードの色域を最大化する際に有益である。
【００２５】
図４Ｂは、フィルタを介した場合の第１セット及び第２セットのスペクトルエミッタの波長に対する強度を示すグラフである。この実施形態では、第１セットの狭透過範囲（Ｒ１、Ｇ１、Ｂ１）は、第２セットの狭透過範囲（Ｒ２、Ｇ２、Ｂ２）と実質的に重ならない。本明細書で用いるとき、用語「実質的に重ならない」は、チャネル間のクロストークが好ましくは最小化されるように、大部分のスペクトル発光が別のスペクトルエミッタからの隣接する発光から独立していることを指す。非理想的な既成のスペクトルエミッタ技術を用いると、一部のスペクトルが重なり得る、例えば、図４Ｂに示すようにチャネルＢ１とＧ２、及びチャネルＧ１とＲ２とが重なり得ることを、当業者は理解するべきであろう。しかしながら、スペクトルエミッタチャネル間のかかるクロストークを最小化するように、スペクトルエミッタ（及び、いくつかの実施形態では、スペクトルフィルタ）を慎重に選択する必要がある。スペクトルエミッタの中心波長を慎重に選択することにより、色域が拡大された、最適な色座標を得ることができる。レーザー及び超共振ＬＥＤなど他の種類のスペクトルエミッタは、通常のＬＥＤ構造よりも狭い透過範囲を有するため、「重なる」スペクトル範囲を有しにくいことは理解されるであろう。十分に「重ならない」ように波長分離が行われた場合、第１及び第２のスペクトル光集合の画像を効率的に分離するためにアイウェア１０４に課せられた要求は、緩和されるであろう。これは、同様の性能を実現するために多大な補助フィルタリングを用い得る、つまり、追加費用及び光効率の低下を意味する、従来のＵＨＰランプのスペクトルとは対照的であり得る。
【００２６】
図４Ｂに示すように、理想的には、長／短の原色発光帯域間（例えば、Ｂ２／Ｂ１、Ｇ２／Ｇ１、Ｒ２／Ｒ１）並びに他の原色の発光帯域の両方にノッチが存在する。好ましくは、この分離は、効率性を得るために、色座標が妥当な明所視感度範囲（例えば、短波長の青色発光Ｂ２＞４３０ｎｍ、長波長の赤色発光Ｒ１＜６６０ｎｍ）に残存した許容可能な色座標であるべきことを認識しつつ、最大化される。かかる分離は、直接実現されてよいが、スペクトルエミッタ（例えば、ＬＥＤ）パッケージに組み込まれ得る、追加フィルタリングによってディスプレイ十分な色性能がもたらされてよい。これには、拒否光（reject light）を除去するフィルタ、又は発光構造（例えば、ブラッグ反射器）に組み込まれ、発光媒体に戻すように光を再方向付けするフィルタが挙げられる。主な発光ローブが実質的に捕捉され、発光の尾部だけが減衰するのであれば、このフィルタリングによる効率性への影響は小さいことがある。尾部は比較的に広域にまたがる場合があり、比較的微力である一方、立体モードでの動作時にはゴースト画像に著しい影響を与える可能性がある。かかる尾部発光はクロストークの直接的な原因となり、アイウェア１０４の性能とは無関係である。これは、対応する画像の効率的な透過を確保するためにアイウェアが有するべき透過波長において生じるためである。
【００２７】
図４Ｃは、光変調パネルに組み込まれたＲＧＢ色フィルタアレイのスケーリングしたスペクトルを示すグラフである。各プロファイルは、好ましくは、対応するセット（例えば、Ｒ１Ｒ２）のＬＥＤ（又は、他のスペクトルエミッタ）の発光帯域に対して高スループットを提供し、一方では、残る４原色（例えば、Ｇ１Ｇ２Ｂ１Ｂ２）の高密度ブロックをもたらして、彩度を最大化する。拡大色域モードでの動作時には、対応する発光帯域のセットを伴うＣＦＡスペクトルの産物により、好ましくは許容可能な色座標が提供され、同時に高スループットが提供される。更に、遷移勾配及び阻止帯域ブロック密度が十分であるので、残る４原色の発光帯域のリークによって色座標の彩度は許容しがたい程度にまで低下しない。開示する一実施形態では、図４Ｃを再び参照すると、色フィルタアレイのスペクトルは、スペクトルエミッタ発光帯域の特定の中心波長に合わせて調整されている。例えば、特定セットのＲ１Ｇ１Ｂ１原色光によって照らされるＡＭＬＣＤは、例えば、色フィルタアレイ（ＣＦＡ）の青色フィルタが、残りのＲ１Ｇ１の発光を高光学密度で吸収する場合、Ｂ１の彩度を最大化する。同様に、Ｇ１の最大彩度は、ＣＦＡの緑色フィルタが残りの（Ｒ１Ｂ１）発光を高光学密度で吸収するときに生じる。原色帯域の別のセットが表示される場合、同様の議論が当てはまる。
【００２８】
ＣＦＡに通常用いられる着色フィルタは、遷移勾配（並びにスループットに対するブロック密度）が限定されているので、結果として得られる色座標の彩度にとって、原色帯域の中心波長を慎重に選択することは重要である。６帯域が同一の波長範囲に詰め込まれているため、色域拡大の最大化は、ＣＦＡスペクトル性能によって制限される場合がある。
【００２９】
図４Ｄは、色フィルタアレイを通る、第１セット及び第２セットのスペクトルエミッタのスペクトルを示すグラフである。対応する色座標は、修正色空間（ｕ'，ｖ'）におけるＲＧＢ  ３角形により画定される光出力集合を示すＥＢＵグラフである図４Ｅにおいて、点４５２、４５４、及び４５６によって示される。長波長の青色原色光（例えば、Ｂ１）を更に飽和させるためには、短波長の緑色（例えば、Ｇ２）の減少は必要であろう。
【００３０】
６個の原色スペクトルエミッタを用いた場合、原色帯域では４種類のグループ分けが可能である。例えば、第１セットのスペクトルエミッタをある実施形態においてＲ１Ｇ１Ｂ１とし、第２セットのスペクトルエミッタをある実施形態においてＲ２Ｇ２Ｂ２としているが、他のスペクトルエミッタの組み合わせが可能である。図４Ｆは、別の組み合わせを示しており、第１スペクトルエミッタセット（Ｒ２Ｇ１Ｂ２）及び第２スペクトルエミッタセット（Ｒ１Ｇ２Ｂ１）に対応する。このグラフは、パネルに入射する連続的な白色照明スペクトルを示す。スペクトルエミッタセットの別のグループ分けとしては、Ｒ１Ｇ１Ｂ２／Ｒ２Ｇ２Ｂ１及びＲ２Ｇ１Ｂ１／Ｒ１Ｇ２Ｂ２が挙げられる。
【００３１】
図４Ｇは、特定の白色スペクトルが色フィルタアレイの各スペクトルに入射した産物（図４Ｃに示される）として、図４Ｆの６原色スペクトルから生じた結果を示す。対応する色座標は、修正色空間（ｕ'，ｖ'）内の第１及び第２のＲＧＢ  ３角形によって画定された、図４Ｇで参照されるスペクトルエミッタに対応した第１及び第２の光出力集合を示すＥＢＵグラフである図４Ｈに示す。ここにおいて、第１セットのスペクトルエミッタは、ＥＢＵ色域図の第１  ＲＧＢ  ３角形４６２により画定される第１光束を出力し、第２セットのスペクトルエミッタは、第１  ＲＧＢ  ３角形の範囲外の色を含む、ＥＢＵ色域図の第２  ＲＧＢ  ３角形４６４により画定される第２光束を出力し、拡大表示モードにおいて、１つの光束により生成される色域よりも広い色域がもたらされる。
【００３２】
原則として、１２０Ｈｚで動作するディスプレイは、時間平均出力を生成するので、実際のグループ分けは性能にとってそれほど重要ではない。時間平均明度及び白色点が生じるであろう。影響し得る微小な事象としては、原色の彩度を決定するスペクトルの重なりについての詳細が挙げられる。例えば、青原色と緑原色との分離におけるＣＦＡの制約を最小化するためには、グループ（Ｂ２Ｇ２）と（Ｂ１Ｇ１）とを組み合わせることが好ましいであろう。加えて、フリッカ効果を軽減するためには白色出力スペクトルの輝度を整合させることが有益であろう。
【００３３】
原則として、多原色表示を実施するために用いられるグループ分けは、立体モードにおいて用いられるグループ分けとは異なり得る。これは単に、個別にＬＥＤにアドレッシングするためにバックライトに組み込まれる柔軟性に関する実用上の問題によって決定される。
【００３４】
立体モードでは、左目及び右目に対してそれぞれ第１画像及び第２画像をデコードするために、実質的に重ならないスペクトルフィルタを用いる。図４Ｉは、第１セット及び第２セットのスペクトルエミッタによりそれぞれ照らされた第１画像及び第２画像を観察するための第１及び第２の偏光干渉フィルタを含む実施形態の透過プロファイルを示すグラフである。左目用画像は、ＬＣＤ偏光子に平行な分析偏光子が後ろに配置された、第１デューティ比を有するリターダスタックを介して供給される。右目用画像は、ＬＣＤ偏光子と交差する分析偏光子が後ろに配置された、第２デューティ比を有するリターダスタックを介して供給される。各スタックで同一フィルムリターダンスを用いて平行／交差配置を行うと、スペクトル重複点が設計の相対的デューティ比により固定されることに留意されたい。
【００３５】
図４Ｊは、図４Ｉの上述の偏光干渉アイウェアを介して各目へと透過された、スペクトルエミッタからの直接のスペクトルを示すグラフである。図４Ｋは、各目においてバランスの取れた白色光束強度及び色を実現するように調整された、図４Ｊのスペクトルをスケーリングしたものを示すグラフである。各目においてバランスの取れた白色光束強度及び色を実現するためにアイウェアフィルタ設計を最適化する技術は、好適な色補正後に正味明度を最大化することを含む。許容可能な色とは、修正後のフルホワイト（Ｄ６５）を含んだ許容可能な原色（ＲＧＢ）が各目により観察される色に対応する。次いで、明度が最も高いチャネルを減衰させて左目と右目との間で明度を整合させることができる。これらの条件下では、２つの表示原色のごく一部を過飽和状態の第３の原色に選択的に加えることにより、効率的に各目に同一の原色色相を観察させることができる。
【００３６】
図４Ｌは、第１セット及び第２セットのスペクトルエミッタによりそれぞれ照らされた第１画像及び第２画像を観察するための第１及び第２の偏光干渉フィルタを含む別の実施形態の透過プロファイルを示すグラフである。この実施形態では、第１フィルタの透過スペクトルは、第１光束（Ｒ１、Ｇ１、Ｂ２）を透過し、第２フィルタの透過スペクトルは、第２光束（Ｒ２、Ｇ２、Ｂ１）を透過する。本開示によると、第１フィルタは、第２光束のスペクトル周波数をブロックし、第２フィルタは、第１光束のスペクトル周波数をブロックする。
【００３７】
スペクトルエミッタの種類
前述したように、各種のスペクトルエミッタを用いて、本開示による直視型ディスプレイにバックライト照明をもたらしてよい。記載した実施形態で用いるスペクトルエミッタとしては、本明細書では常にＬＥＤを記載したが、本開示に従うと、レーザー及び超共振ＬＥＤ（又は、サブスレッショルドレーザー）など他の好適なスペクトルエミッタを用いてよい。かかるスペクトルエミッタは、狭スペクトル発光、高速変調、簡便なサブアレイへのパッケージ化、長寿命、及び水銀の不使用など次世代ディスプレイを実施する際にいくつかの利点をもたらすが、これらは、ＣＣＦＬよりも環境的に許容可能なものである。前述のスペクトルエミッタは、高速変調に関して動作上の利点を有する。ＬＥＤの応答時間は、主にドライバ（通常、マイクロ秒）によって制限されるので、パルシングを用いて出力効率／熱管理を最適化し、変調パネルの時間的アーチファクトを管理することができる。コンテンツに応じた調光、積極的な色温度制御など他の利点は、合成スペクトルを電子制御するときの独立性により実現可能であってよい。加えて、ＬＥＤは、走査型バックライトシステムを実施するためのサブアレイ又はパッケージ化クラスタの構築に適しているため、時間的アーチファクトが有利に最小化される。大半のＬＥＤにおいて典型的である長寿命及び水銀を含まない構成は、従来のＣＣＦＬ技術よりも有利である。上記の特徴は、特に高性能映像において冷陰極蛍光ランプ（ＣＣＦＬ）からスペクトルエミッタ（つまり、ＬＥＤ、超共振ＬＥＤ、及びレーザー）を有するバックライト付きシステムへの移行を促す推進力となる。
【００３８】
上記の機能に好適なスペクトルエミッタは、多くの形態を取り得る。例えば、有機発光ダイオード（ＯＬＥＤ）ストライプを周期的に（例えば、Ｒ１、Ｒ２、Ｇ１、Ｇ２、Ｂ１、Ｂ２）基板上にパターニングする、及び／又は積層することができる。いくつかの実施形態では、スペクトルエミッタセット３１０及び３２０を光変調パネル２０２に直接的に光結合してよく、他の実施形態では、光ガイド、ライトパイプ、光ファイバ、反射器、導波路など光透過性部品を介してスペクトルエミッタセット３１０及び３２０を光変調パネル２０２に光結合してよい。かかる光透過性部品は、プラスチック、ガラス、シリコン基材上のシリカ、又はこれらの組み合わせであってよい。個別のＬＥＤは、パネルの背面に直接実装される線形アレイにパッケージすることができ、１つ以上の端部から光ガイドに結合することもできる。端部照明及び光ガイド、又はパネルの背面に実装されたＬＥＤアレイを用いる、変調パネルに均一な照明光を供給する技術は周知である。
【００３９】
ＬＣＤディスプレイにおけるモーションアーチファクトに関する問題への対処
モーションの表現は、これまで、従来のＬＣＤディスプレイにおいて課題であった。原因となる要因としては、第１に典型的なＬＣＤパネルの応答が非常に遅いこと、第２にディスプレイのホールドタイム効果が挙げられる。第１の要因に関しては、従来のＬＣＤディスプレイにおいては、行ごとにスクロールしていく方法によりＴＦＴパネルがアドレッシングされる。ＬＣ層に電界が印加されとき、ＬＣ材料は連続する画像間の階調レベル差を表す状態間で方向を変えるのに数ミリ秒を要する。したがって、照明が続く間、このような移行時に移動オブジェクトが現れる位置はしっかりと画定されたものとならず、不鮮明な画像が知覚される。このモーションアーチファクト問題を軽減する技術の一つは、スイッチング速度がより速いＬＣ材料、整列方法及び構造（例えば、マルチドメイン）、並びにアドレッシング方法（例えば、オーバードライブ）を開発することである。
【００４０】
しかしながら、６０Ｈｚで動作するホールド型ディスプレイは、どのような環境であっても画像のぼやけを知覚させることが知られている。特定の空間周波数では、無限大に速いスイッチング速度のＬＣを想定した場合であっても、知覚されるコントラストに完全な損失が生じる。この問題に対処するために、業界では１２０Ｈｚで動作するパネルの再設計が進行している。かかる周波数では、オンザフライの補間により、ブラケット画像間に代替画像が挿入されるであろう。かかる方法は困難かつ高価であるが、例えば、フリッカのない立体表示を可能にすることにより多機能ディスプレイを可能にする。
【００４１】
ホールド型ディスプレイからはぼやけが知覚されるとしても、ＬＣをより高速にスイッチングすることは、モーションアーチファクトを軽減するためにも望ましい。現在、パネルの応答時間は著しく改善されており、ハイエンドのディスプレイにおいては４ｍｓがごく標準的である。これは、間違いなく今後も段階的に改善されていくであろう。かかるスイッチング速度は、本開示による多機能ディスプレイを実現するためにも望ましい。
【００４２】
ホールドタイム効果の対処に関して、モーションアーチファクトを軽減する他の技術は、照明を変調することを含む。Ｓｌｕｙｔｅｒｍａｎらは、モーションのぼやけを軽減するために黒フレームの挿入を取り入れたＣＣＦＬの使用を教示する。しかしながら、ＣＣＦＬを用いるこの方法によって深刻な問題が発生する。原則として、ＣＣＦＬを用いて光損失／効率の問題を排除することができるが、別の問題が存在する。つまり、黒フレームを挿入する６０Ｈｚでの動作は、フリッカを生じさせる。
【００４３】
ＬＣスイッチングに限界があることに関連する上述の制約を考慮すると、本明細書に開示するスペクトルエミッタを用いた走査機能は、照明がパネルへのアドレッシングに追従するように照明のタイミングを最適化するのに望ましい。スクロール型黒帯により、ゴースト画像の前後の出現を除去できなくとも、最小化することができる。いくつかの個別にアドレッシングできるＬＥＤ（又は別のスペクトルエミッタ）のサブアレイを用いて複数の照明セグメントを形成することができる。実施形態では、タイミングを最適化する目的で、（例えば、３〜１０の）サブアレイのコースグルーピングを用いてよい。６０Ｈｚの黒帯周期によっても、フリッカが生じ得ることに注意されたい。
【００４４】
図５は、黒帯挿入技術を用いた走査型バックライトを示す概略図である。図５は、簡略化されたディスプレイショット５１０、５２０、５３０、５４０、５５０、及び５６０によってそれぞれ表される、時間周期ｔ０〜ｔ５における様々な段階の直視型ディスプレイを示す。
【００４５】
図６は、図５の走査型バックライトの図に関連した黒帯挿入プロセスを示す論理図である。時間ｔ０において、第１画像５１０が完全に表示され、スペクトルエミッタＲ１Ｇ１Ｂ１により照らされている（工程６０２）。時間ｔ１においては、サブアレイ５０２のスペクトルエミッタＲ１Ｇ１Ｂ１が消灯され（工程６０４）、第２画像を表示するようにサブアレイ５０２に対応する液晶分子が再構成される（工程６０６）。時間ｔ２においては、サブアレイ５０２のスペクトルエミッタＲ２Ｇ２Ｂ２が点灯され、Ｒ２Ｇ２Ｂ２の原色光に照らされる第２画像の第１部分を表示する（工程６０８）。工程６０８の前後又は同時に、サブアレイ５０４のスペクトルエミッタＲ１Ｇ１Ｂ１が消灯され（工程６１０）、第２画像用にサブアレイ５０４に対応する液晶分子が再構成される（工程６１２）。同様に、時間ｔ３において、画像５３０は、サブアレイ５０４のスペクトルエミッタＲ２Ｇ２Ｂ２が点灯され、Ｒ２Ｇ２Ｂ２の原色光で第２画像の第２部分が表示されたことを示す（工程６１４）。このシーケンスは画像５４０及び５５０について同様の形式で時間ｔ５まで続き、時間ｔ５ではＲ２Ｇ２Ｂ２の原色光で第２画像が完全に表示される（工程６１６）。これに続いて、シーケンスは繰り返されて、再び照明に第１セットのスペクトルエミッタＲ１Ｇ１Ｂ１を用いて次フレームの第１画像が表示される。第１画像及び第２画像は、６原色データ、立体画像の左側／右側視野、プライバシースクリーン表示の２つの画像、及びチャネル多重化表示のいずれかに対応したものであってよい。
【００４６】
別の実施形態では、第１セットのスペクトルエミッタは、完全に消灯されなくてよいが、第１セットのスペクトルエミッタからの発光スペクトルを通過させるように設計されたフィルタを介してほぼ観察することができない、強度を低めた出力を発光してよい。同様に、デューティサイクルにおける別のフェーズにおいて、第２セットのスペクトルエミッタを完全に消灯させる必要はない。したがって、かかる実施形態では、スペクトルエミッタを、その「オフサイクル」において完全に消灯するのでなく、部分的にバイアスするようにしてよい。これにより、それぞれのスペクトルエミッタセットがその非照明状態において既に部分的にバイアスされているので、照明状態と非照明状態とのスイッチングを高速化できるであろう。
【００４７】
図７Ａ〜図７Ｈは、バックライト７００における第１セットのスペクトルエミッタ７１０及び第２セットのスペクトルエミッタ７２０のサブアレイ７０２〜７０８による連続的照明を示す。図７Ａは、照明を提供している、第１サブアレイ７０２の第１セットのスペクトルエミッタ７１０を示す。その続きとして、図７Ｂは、照明を提供している、第２サブアレイ７０４の第１セットのスペクトルエミッタ７１０を示す。第１セットのスペクトルエミッタ７１０のシーケンスは、順番に図７Ｃ及び図７Ｄへと続く。その次に、図７Ｅは、照明を提供する第１サブアレイ７０２の第２セットのスペクトルエミッタ７２０を示し、その続きとして、それぞれ図７Ｆ〜図７Ｈにおいて、第２サブアレイ７０４、第３サブアレイ７０６、及び第４サブアレイ７０８の第２セットのスペクトルエミッタ７２０の照明を示す。
【００４８】
図８Ａ〜８Ｈは、別の実施形態の、光制御フィルム８４０を備えたＬＥＤベースの走査型バックライト８００を示す概略図である。この実施形態の動作シーケンスは、図７Ａ〜図７Ｈを参照して上述したものと類似する。この実施形態では、光制御フィルム８４０は各セットのスペクトルエミッタからの光のフィルタリング及び拡散を提供して、特にサブアレイ間の各境界付近において照明光を均質にしてよい。光制御フィルム８４０はまた、サブアレイ８０２、８０４、８０６、及び８０８において、ＬＥＤの輝度及び色度を整合させてよい。
【００４９】
ＬＥＤアレイの実動作は、パネルの機能性に大きく依存することに留意されたい。十分に速い速度での全体的な更新が可能なパネルについては、サブアレイを用いる、かかる走査型バックライト技術を使用しなくてよく、明度をほぼ犠牲にすることなく点滅モードで照明を動作させることができる。かかる場合、照明器は単に２セットの原色光のいずれかでパネルの投光照明を交互させる（つまり、すべてのＲ１Ｇ１Ｂ１スペクトルエミッタを同時に点滅させ、次にＲ２Ｇ２Ｂ２スペクトルエミッタを点滅させるなど）。フレーム間に黒周期を挿入することにより、ＬＣ（光変調パネル）を沈静させることができる。ブランク機能（用いた場合）の程度は、パネルの応答時間によって異なる。順次走査型パネルにおいては、点滅バックライトを用いることもできるが、明度が多少犠牲となる。
【００５０】
拡大色域モード
本開示による、バックライト３００を用いたディスプレイは、ＣＣＦＬ又は３原色ＬＥＤバックライトを用いた従来方式のバックライト付きディスプレイよりも著しく豊かなカラーパレットを生成することができる。前述したように、拡大域モードでは、各原色の彩度が向上した６原色域が実現されてよい。６原色の帯域及び色フィルタアレイのスペクトルを慎重に選択することにより、色域を著しく拡大することができる。これにより、従来のＡＭＬＣＤディスプレイでは絶対に不可能であったより広色域での表示が可能になる。
【００５１】
拡大色域モードでバックライト３００を動作させる（二次元画像を表示する）とき、色点が異なる２セットのスペクトルエミッタの利点が発揮されるであろう。この場合、照明セグメントは、最大の明度及び色域を実現するために、サブアレイ内の全ＬＥＤを同時に用いることができる。最大明度条件下では、バックライト３００は、赤色フィルタを介したＲ１及びＲ２の産物、緑色フィルタを介したＧ１及びＧ２の産物、並びに青色フィルタを介したＢ１及びＢ２の産物を出力する。調光が必要な場合、表示される画像の色域に寄与する方法で行うことができる。色域が拡大されるように、特定のスペクトルエミッタに電流を選択的に印加することができる。更に、明度の増減を必要とするディスプレイ領域に選択的な照明を提供するために、特定のスペクトルエミッタを点灯若しくは調光してよい。
【００５２】
最適化された二次元表示を実現するための上記の走査型バックライト機能は、最適化された６原色表示、スペクトル分割立体表示、プライバシースクリーン表示、又はチャネル多重化表示を実施するときに要求されるものに非常に類似している。バックライトの各サブアレイにおいてＲＧＢ  ＬＥＤアレイを少なくとも２セット設けることにより、スペクトルのスイッチングが可能な走査型バックライトが実現される。連続動作が用いられる程度までは、少なくとも２×フレームレートを用いてフリッカを回避すべきである。しかし、色順次式ディスプレイとは異なり、かかる動作においては、色割れ問題は生じないはずである。これは、各フレームが画像のＲＧＢ全表現を含んでいるためである。
【００５３】
６原色ディスプレイは、拡大色域が有利となるいくつかの重要な用途を有する。色の透過／表示に精度をもたらす手段を組み込んだ場合、かかるディスプレイは、既に非常に重要である。これが最もタイムリーな問題であるのは、インターネット上で特定の製品を正確に売買することができない電子商取引である。これは、従来のディスプレイでは製品の外観の表現が不一致であるか、若しくは正確に表現できないためである。インターネット上で衣料品を販売する際の限界は、既に著しいものとなっている。これは、モニタに表示されるものは、実際の商品と十分に一致したものでないためである。これにより製品の大量返品が発生し、インターネット上での特定の購入に成功することに対して市民の間に不信を招いている。これは、自動車、家具、室内装飾品（例えば、カーテン、カウンター甲板、床材）などについても当てはまる。
【００５４】
６原色ディスプレイはまた、次世代の写真撮影を支えるために必要なインフラの重要な一部でもある。６原色撮像が可能な撮像デバイスには、画像印刷技術と表示技術の両方が必要である。電子的に撮像された画像の比較的少量がハードコピーで閲覧されるため、画像品質を犠牲にすることなくかかる画像を表示することは一層重要になるであろう。実際、かかるシステムにより、性能と利便性の両面において、フィルムによる写真撮影よりも電子的撮像が進んだものとなっている。６色カメラにより撮像され、大型スクリーンの６色ＡＭＬＣＤに表示された画像は、ハードコピーの閲覧よりも格段に優れた体験をもたらすべきである。
【００５５】
スペクトルエミッタが個別にアドレッシングでき、ディスプレイが十分に高速にスイッチングする限り、本開示のバックライトの実施形態はまた、シーケンシャルカラーディスプレイをサポートすることができる。かかる実施形態では、各画素がフルカラーが可能となるようにＣＦＡを除去する。シーケンシャルカラー動作を用いる多機能ディスプレイをサポートするためのスイッチング速度に対する要求は、当然のことながら大幅に増加する。６色モードで動作する映像ディスプレイは、フリッカを回避するために、３６０Ｈｚのフィールドレートを必要とすることが多い。しかしながら、かかるディスプレイは、色割れ効果を生じやすく、そのため、フィールドレート要件が更に増加する。
【００５６】
プライバシースクリーンモード
本開示の一態様は、直視型ディスプレイにプライバシースクリーンモードの動作を提供することを含む。このモードを用いて、他人が機密情報又は専有情報を閲覧しないようにすることができ、用途としては、例えばモバイルコンピューティングが挙げられる。かかる懸念は、航空機又は電車で移動する職業人の作業を制限する可能性がある。これは、個人的性質の画像又は文章を閲覧するためにも用いることができる。家庭では、プライバシースクリーン表示は、大人が子供には適切でない番組を閲覧するために用いることができる。これはまた、ディスプレイの視界内にいる他人を邪魔せずに、閲覧者が番組を閲覧できるようにするために用いることもできる。後者の場合、邪魔をしないように、音声入力機能付きアイウェアを着用することができる。これにより、例えば、同じ部屋で、１人はテレビ番組を閲覧し、もう１人は読書することができるようになる。
【００５７】
プライバシースクリーンモードでは、２セットのスペクトルエミッタ（例えば、Ｒ１Ｇ１Ｂ１及びＲ２Ｇ２Ｂ２のＬＥＤ）を用いて、１次画像と２次画像とを連続的に照らしてよい。Ｒ１Ｇ１Ｂ１スペクトルエミッタによって照らされる１次画像は閲覧を意図しており、Ｒ２Ｇ２Ｂ２スペクトルエミッタによって照らされる２次画像は、自然光で閲覧したときに１次画像を見えなくすることを意図している。自然光での閲覧時に２つの画像の時間平均として中間階調スクリーンが閲覧されるように、２次画像は、１次画像の逆像として合成される。更に、従来の偏光アイウェアで閲覧したとき、スクリーンはコンテンツがないように見える。しかしながら、専用の波長選択アイウェアセットは、２つの画像をデコードすることができる。アイウェアのフィルタは、１次画像のスペクトルだけを主として透過するか、これのみを透過して、２次画像のスペクトルをブロックするよう設計される。
【００５８】
プライバシースクリーンモードで用いるアイウェアは、従来の干渉フィルタ技術（共押出フィルムの堆積又は延伸のいずれかにより形成）、ルゲートフィルタ技術、ホログラフィック技術、又は偏光干渉技術により製造することができる。開示する一実施形態では、両レンズは構造が同一であり、直線偏光子が後ろに配置されるリターダスタックが用いられる。本開示の直視型ディスプレイは分析偏光子を提供し得るため、アイウェアには入射偏光子がなくてよい。この偏光子が存在しなければ、いずれのフィルタリング動作も不完全となるので、自然（非偏光）光では、アイウェアは無彩色を表す。（反射が無いことによる）光制御の向上、視野の向上など偏光干渉のその他すべての利点は、長時間にわたって閲覧するのに快適な高コントラストの画像の表示に役立つと考えられる。ディスプレイを５０％のデューティ比モードで動作させるため、２次又は１次セットの低スペクトルがリークするなどの側面は、高コントラストを提供するために重要な側面である。プライバシースクリーン用アイウェアを用いない場合、定義により逆像である２次画像ゴーストは、１次画像を強力に消し去る傾向にある。
【００５９】
偏光干渉フィルタアイウェアの重要な側面は、均一なリターダスタックが、有限インパルス応答（ＦＩＲ）フィルタにより実現されたものであるということである。ベースフィルムのリターダンスの増大はサンプリングレートに反比例するので、周波数（波長）領域の振動を増加させる。かかる周期的コム関数は１次セットに従ってスペクトルを分離するために用いられ、ＦＩＲフィルタにおいては自然な現象である。参照することにより本明細書に組み込まれる、本発明の譲受人に譲渡された米国特許第５，７５１，３８４号に記載されるようなネットワーク統合技術を用いて、所望のエッジ関数及びデューティ比に従ってリターダスタックを設計することができる。リターダスタックの設計法についての更なる詳細は、参照することにより本明細書に組み込まれる、米国特許出願第０９／７５４，０９１号に更に詳述されている。
【００６０】
反対に、無限インパルス応答（ＩＩＲ）フィルタにより実現されたものである、薄膜干渉フィルタ（Ｊｏｒｋｅシステムで用いるために教示されたフィルタなど）では、狭いノッチを実現するために多数の層を必要とし、かつ層厚を非常に厳しく制御して中心波長及び帯端波長についての厳格な許容誤差に適合させなければならない。当然のことながら、複数のノッチは、個別のノッチフィルタの積層を必要とする。多ノッチ干渉フィルタは、５０％ポイントに対する許容誤差が厳格に守られるように製造するのは困難であり、高額な選択肢と位置付けられる。更に、かかる高度な波長選択性を有するフィルタは、入射角の影響を受け易い。視野角効果により、２次画像がにじみ出て、見え方のコントラストと均一性を減少させる。
【００６１】
多重化画像モード
本開示の別の側面によると、異なるアイウェアセットを着用した複数の閲覧者は、チャネルの時分割多重化を採用した同一ディスプレイ上で異なるマルチメディア画像を独立して閲覧することができる。
【００６２】
チャネル多重化表示モードでは、２チャネルからの、時間平均重畳された画像が自然光で観察される。第１閲覧者は、原色光Ｒ１Ｇ１Ｂ１を用いて第１色域で表示される画像を通過させる第１アイウェアセットを着用する。第２閲覧者は、原色光Ｒ２Ｇ２Ｂ２を用いて第２色域で表示される画像を通過させる第２アイウェアセットを着用する。したがって、それぞれのアイウェアを通して、第１閲覧者は、第１色域に対応する画像を観察し、第２閲覧者は、第２色域に対応する画像を観察する。フィルタを介して観察される画像においてスペクトルが重なっていない程度に、他方のチャネルのゴースト画像は観察されないはずである。ディスプレイを１２０Ｈｚで動作させると、各閲覧者は、６０Ｈｚで５０％のデューティサイクルの画像をそれぞれ閲覧する。したがって、例えば、多重化画像モードの用途として、同一の直視型ディスプレイ上で２つのテレビチャネルを、各チャネルがスクリーン全体に表示された状態で閲覧することが可能となる。別の用途として、第１閲覧者がテレビを閲覧しつつ、第２の閲覧者がインターネットサーフィンを行うことが可能となる。第３の用途として、第１ビデオゲームプレーヤがマルチプレーヤビデオゲームの第１表示画像を閲覧しつつ、第２プレーヤが第２表示画像を閲覧することが可能となる。当然のことながら、他の多様な用途において多重化画像モードを利用してよいことは明らかである。
【００６３】
立体画像モード
立体画像は、２Ｄディスプレイ上で奥行きを有する表現を生成するために用いられる。本開示は、マイクロ偏光子アレイなど他のいくつかの立体表示法と異なり、空間分解能が失われない三次元画像を提供する。フリッカ効果を回避するために十分な速度でディスプレイを動作させることができるのであれば、優れた３Ｄ体験を実現することができる。
【００６４】
慎重にバックライトを設計することにより、２Ｄ性能をほとんど劣化させることなく、高品質な３Ｄディスプレイを、最低限のハードウェアを追加することにより実施することができる。本開示による立体表示は、上述のプライバシースクリーン表示又は拡大色域６原色表示と同様の形式で実行される。立体結像モードでは、（上述したように）第１セット及び第２セットのスペクトルエミッタを有するバックライトの作用により、（好ましくは）実質的に重ならないスペクトル成分を有する、左右の視野像を表す第１画像及び第２画像が順次に提示される。これらの視野は、自然光で閲覧した場合、ディスプレイ上に重なって表される。適切なアイウェアセットを用いることにより、右側レンズにより左側視野がブロックされ、左側レンズにより右側視野がブロックされるように、画像がデコードされる。上述したように、これは、原則として多数の技術を用いることにより実現可能である。しかしながら、上述した側面において、偏光干渉フィルタ技術がその他の技術よりも優れている。
【００６５】
記載する立体表示の実施形態では、偏光干渉アイウェアを用いて、画像の左側視野と右側視野とを分離する。かかるアイウェアのレンズは、後ろに分析偏光子が配置される、直線リターダフィルムのスタックを有する。記載される実施形態によると、第１レンズの偏光子に平行に方向付けられ、第２レンズの偏光子に交差するＡＭＬＣＤの分析偏光子によって、直線偏光出力がもたらされる。リターダスタックの設計は、第１レンズ及び第２レンズにおいて同一である。更に、リターダスタックの設計、特にデューティ比は、各目に対する光結合を最大化し、（画像のクロストークを発生させる）レンズ間でのスペクトルの重なりが最少化されるように選択される。
【００６６】
アイウェア設計に関する考慮事項
上述したプライバシースクリーン用アイウェアとは異なり、立体表示用アイウェアは、各目に対して順次的に異なる画像を交互に提示するために用いられる。構造面については、このアイウェアはほぼ上述したとおりである。しかしながら、立体画像閲覧用途については、左側フィルタ及び右側フィルタのそれぞれに対応するスペクトルは、光源と同様に、実質的に重ならない。（ソフトウェアによる補正を無視した場合）ゴースト画像が出現する程度は、主としてフィルタのダイナミックレンジ及びＬＥＤ（又は他のスペクトルエミッタ）発光の近辺のフィルタのスペクトルが重なる程度に依存する。光源の発光（レーザーが最良であり、超共振ＬＥＤが次に良い）が狭い範囲であるほど、アイウェアに求められるフィルタリング動作に対する要求は低くなる。概して、広いダイナミックレンジが望ましいが、精選された光源は、フィルタの遷移勾配を緩和することができる。実際には、この緩和の程度は、製造時の発光中心波長の許容誤差により決定される。したがって、超共振ＬＥＤをスペクトルエミッタとして用いることは、上記の設計要素に対処する、良い妥協的な解決策である。
【００６７】
立体表示アイウェアの実施形態は、同一のリターダ値を用いて、左側フィルタ及び右側フィルタにリターダスタックを用いることを含む。参照することにより組み込まれる、本発明の譲受人に譲渡された米国特許第５，７５１，３８４号に記載されるようなネットワーク統合技術を用いて、各レンズのデューティ比を選択することができる。図４Ｉを再び参照すると、このグラフは、第１セット及び第２セットのスペクトルエミッタによりそれぞれ照らされた第１画像及び第２画像を観察するための第１及び第２の偏光干渉フィルタを含む実施形態の透過プロファイルを示している。各フィルタのプロファイルは、平坦な通過帯域及び阻止帯域を含む、一連の急な遷移勾配を有する。本開示によると、各レンズのスペクトルプロファイルのデューティ比は、スペクトルの重なり程度を制御するように選択されてよい。左側画像の平行偏光子スペクトルに右側画像の交差偏光子スペクトルを重ねられると、一定の重なり要素が保証される。これは、各スタックに同一のリターダフィルムを用いることに、力の保存則（principles of conservation of power）が組み合わさった結果である。
【００６８】
かかる偏光干渉アイウェアレンズは、従来の３Ｄ偏光レンズと非常によく似ており、外観上は無彩色である。これは、リターダスタックが自然光においては完全に透明であるからである。この点において、閲覧者は、当人を見るどの人にとっても、左右が一致した無彩色のアイウェアを着用しているように見えるであろう。着用者には、自然界は各レンズを通して同様に見えるが、主として偏光入射を見たとき、又はこれを見たときのみ異なって見える。したがって、ディスプレイの閲覧時、レンズは、（レンズのフィルタリング動作を無視すると）ほぼ挿入損失なしに、周囲環境の明度を５０％低下させるように作用する。現在の高性能直線偏光子を用いると、偏光光の内部挿入損失は緑色では約６％だけである。
【００６９】
本開示の実施形態によると、偏光干渉によりもたらされる高度に選択的なスペクトルフィルタリング作用を有する吸収ベースのアイウェアを用いて、快適性、透視性、明度、及びクロストークにおいて最適な性能を得ることができる。更に、視野角効果を最少化するために、レンズを円筒形に形成することができ、又は更には複合曲率を有するように熱成形することができる。更に、二軸延伸リターダフィルムをベースとするリターダスタックは、実質的に入射角によるスペクトル偏移に影響されない。無限遠点はユーザと共に移動しないので、アイウェアの使用は、フルサラウンド３Ｄにおける頭部追跡にも役立つことができる。
【００７０】
前述したように、いくつかの実施形態では、直線偏光出力をもたらすディスプレイを用いる場合、各フィルタに入射偏光子はなくてよく、したがって各フィルタには、１つの、唯一の偏光子が存在する。各フィルタに入射偏光子を付加することにより、スループットが若干低下するが、自然界の見え方に効果を与えることもある（入射偏光子を有するかかるフィルタは、本出願の譲受人に譲渡された米国特許第７，１０６，５０９号によって教示され、参照することによりその全体が本明細書に組み込まれる）。これは、各フィルタを通して観察された輝度及び／又は色度の差異の形態を取り得る。閲覧者の目には、表示画像及び周囲環境の一部の両方が入り込むので、各フィルタを通して観察される差異により注意が逸らされる場合がある。更に、１つにはスペクトルが異なる多数の周辺光条件（例えば、太陽光、蛍光光、白色光など）の下で立体表示を見ることができるという理由で、かかる差異を補正することは困難である。表示画像の条件は慎重に制御できるが、各フィルタを通して観察したときの自然界の相対的な現れ方は著しく変化し得る。したがって、あらゆる周辺光条件の下で色度及び輝度が整合する左側／右側のフィルタシステムを提供することが望ましいであろう。ディスプレイの閲覧時に、各目によって観察される白点の色度及び輝度が整合するようにＲ１Ｇ１Ｂ１及びＲ２Ｇ２Ｂ２のスペクトル発光を変化させることにより、自然界では不可能な入念な補正を行うことができる。自然界が実質的に偏光されていない限り、各フィルタの入射偏光子を省くことにより、これらの状態が最も発生しやすくなる。
【００７１】
偏光干渉アイウェアの有利な側面は、コントラストの強化である。適切な原色光セット（例えば、Ｒ１Ｇ１Ｂ１、又はＲ２Ｇ２Ｂ２）だけが通過できるように光をフィルタリングすることには、周囲の光源からディスプレイへ入射する広帯域のグレアを除去する効果を有する。入射偏光子を各レンズに付加することにより、無彩色の外観は失われるが、直交偏光をブロックしてグレアを排斥することによりコントラストが更に向上する利点を有する。加えて、入射偏光子により、画像クロストークに対する頭部傾斜による影響が最小化される。この場合、頭部傾斜は、主としてディスプレイの明度を下げるように作用する。
【００７２】
２次偏光子を付加せずに頭部傾斜による影響を低下させる技術は、１／４波長リターダ（又は円形リターダ）をディスプレイ及びアイウェアの両方に設置することである。ディスプレイの偏光子に対して４５度に方向付けた１／４リターダは、特定の掌性を有する実質的な円偏光を生成する。アイウェア上で−４５度に方向付けた、対応する１／４波長の２次リターダは、前者による偏光を打ち消す効果を有する。線形座標系から準円形座標系への変換により、頭部傾斜による影響での１次排除が生じる。０次波長リターダについては、好ましくは位相差値を密接に適合させてゴースト画像を最少化する。
【００７３】
別の実施形態では、上述したように１／４波長リターダをディスプレイ及びアイウェアの両方に設け、アイウェア上に入射偏光子を付加する。これにより、クロストークは最少化され、頭部傾斜によるスループットの影響が実質的に減少する。かかるアイウェアは、各目のレンズを一致させる、上述のプライバシースクリーン表示には特に適するであろう。左目及び右目のフィルタが一致する場合（例えば、プライバシースクリーンモード及び多重化表示モードの場合）、自然界の見え方との違いという好ましくない効果は生じない。
【００７４】
前述において、多機能ディスプレイに関する考慮事項を説明する目的で様々な実施形態を提示した。そこでは、様々な動作モードが可能である多機能ディスプレイは、単一のバックライトにより可能であることを示した。更に、多機能ディスプレイを実施するには、ディスプレイコストを増加させる特別なフィルム若しくは変調器は不要であることを示した。（例えば）立体モードでの動作時にバランスの取れた出力を実現するためにＬＥＤバックライト設計を選択するには、多数の要因が関与する。明らかに、この実施例は、明所視応答が長波長の赤色出力要件にとって重要であることを示しており、おそらく中心での青色偏移を主張している。現実には、（発光波長に対する）スペクトルエミッタのコスト、スペクトルの拡大、中心周波数及びピーク出力の実現可能性、寿命（及び寿命期間における変化）、熱管理、ＬＥＤの種類ごとの数などの多数の要因のすべてが設計における重要な実際的考慮事項である。
【００７５】
前述したように、立体視ディスプレイ及び多視点ディスプレイは、例えば、参照することによりその全体が本明細書に組み込まれる、米国特許第８，２３３，０３４号（表題「Ｍｕｌｔｉ−ｆｕｎｃｔｉｏｎａｌ  ａｃｔｉｖｅ  ｍａｔｒｉｘ  ｌｉｑｕｉｄ  ｃｒｙｓｔａｌ  ｄｉｓｐｌａｙｓ」、Ｓｈａｒｐ  ａｎｄ  Ｒｏｂｉｎｓｏｎ）に概して記載されるように、多原色の順次バックライトを提供することにより製造できる。発光ダイオード（ＬＥＤ）光源で選択できる中心波長は限られているが、広いスペクトル帯域幅を有する。これはいずれも、技術上の制約によるものである。立体視でのクロストークを低く抑え、広い色域を実現するには、中心波長を調整した、狭帯域光源が望ましい。
【００７６】
本開示によると、光学構造はディスプレイに光を供給することができる。この光学構造は、照明を透過するように作動する励起源と、励起源からの照明を受け取るように作動し、実質的に第１波長帯域の光を透過するように作動し、実質的に第２波長帯域の光を反射するように作動する入力フィルタと、を含んでよい。この光学構造はまた、複数のエミッタを有するエミッタ領域を含んでよく、エミッタ領域は、少なくとも第１波長帯域の光を受け取るように作動し、複数のエミッタは、少なくとも第１波長帯域の光によって励起され、第３波長帯域の光を放射するように作動し、出力フィルタは、少なくともエミッタ領域からの第３波長帯域の光を受け取るように作動し、第４波長帯域の光の帯域幅が第３波長帯域の光の帯域幅よりも狭い、少なくとも第４波長帯域の光を出力するように作動する。複数のエミッタは、入力フィルタから受け取る光よりも長い波長で光を放射するように調整されてよい。
【００７７】
入力フィルタ及び出力フィルタのいずれか１つ、又は両方は、ダイクロイックフィルタであってよい。入力フィルタ、エミッタ領域、及び出力フィルタは、キャビティによって完全に、又は部分的に囲まれていてよく、このキャビティは、励起源からの照明を受け取るように作動してよい。キャビティは、白色内壁又は金属化内壁のうちの少なくとも１つを含んでよい。
【００７８】
光学構造はまた、エミッタ領域からの照明を受け取るように作動する角度減少素子を含んでよく、角度減少素子はプリズムテープであってよい。光学構造はまた、少なくとも励起源からの照明を受け取るように作動し、ライトパイプ又は複合放物集光器のうちの１つであってよい、角度変換非結像光学系を含んでよい。加えて、光学構造は、出力フィルタからの光を受け取るように作動する、角度増加素子を含んでよい。光学構造では、出力フィルタと少なくとも第１導光板との間に光学スペーサが配置されてよい。更に、励起源と入力フィルタとの間に積分器が配置されてよい。
【００７９】
光学構造はディスプレイに光をもたらしてよく、ディスプレイは立体画像のアドレッシングを受け取ってよい。第１導光板及び第２導光板は、左側画像及び右側画像が分光された光源によって照らされ得るようにスクロールされてよい。
【００８０】
また、本開示によると、ディスプレイのバックライティング方法は、照明光源から少なくとも第１波長帯域の光を供給することと、入力フィルタにおいて第１波長帯域の光を受け取り、入力フィルタを介して第１波長帯域の光を透過することと、エミッタ領域において第１波長帯域の光を受け取り、エミッタ領域内の複数のエミッタを励起し、これによって、少なくとも第２波長帯域の光を生じさせ、エミッタ領域を介して第１波長帯域の光の少なくとも一部を透過することと、を含んでよい。この方法はまた、出力フィルタにおいて少なくとも第２波長帯域の光を受け取り、第３波長帯域の光の帯域幅が少なくとも第２波長の光の帯域幅よりも狭い、第３波長帯域の光を出力することを含んでよい。この方法は、出力フィルタにおいてエミッタ領域からの第１波長帯域の光の少なくとも一部を受け取り、第４波長帯の光を透過することを更に含み、第４波長帯域の光の帯域幅はエミッタ領域からの第１波長帯域の光よりも狭い。入力フィルタは、エミッタ領域によって生じた第３波長の光を受け取ってよい。第３波長帯域の帯域幅外の波長は、エミッタ領域に向けて戻るように入力フィルタによって方向付けられてよい。
【００８１】
説明を続けると、ディスプレイのバックライティング方法は、エミッタ領域において第３波長の光の帯域幅外の波長の光を受け取ることを含み、これにより、エミッタ領域内の複数のエミッタが励起され、第３波長の光の帯域幅内の光を生じさせてよい。第３波長の光は、出力フィルタ向けて戻るように方向付けられてよい。出力フィルタは、少なくとも第１導光板へと光を方向付けて、ディスプレイに立体画像をアドレッシングしてよい。導光板は、ディスプレイ上の第１画像及び第２画像が分光された光源によって照らされるようにスクロールされてよい。右側画像及び左側画像は、高コントラストを得るために、ディスプレイスイッチング期間中に照明の暗帯によって分離されてよい。
【００８２】
本開示に更に付け加えると、立体視用アイウェア及び出力フィルタ内に隣接する通過帯域を配置してよく、出力フィルタの通過帯域は立体視用アイウェアの通過帯域に対して赤方偏移している。
【００８３】
本明細書では概して、狭帯域かつ極めて色飽和した液晶ディスプレイバックライトの光源として、光学構造を記載している。光学構造の光源としては、青色ＬＥＤなど励起源が挙げられてよい。励起源は、本明細書において青色ＬＥＤとして記載され得るが、励起源は、エミッタ領域内の複数のエミッタを励起する適切なエネルギーを有する任意の光源であってよい。また、用語「励起源」、「光源」、及び「照明光源」は、限定するためではなく、説明のみを目的として本明細書において同じ意味で用いられる。
【００８４】
光学構造は導光板に光をもたらしてよく、液晶ディスプレイのバックライトとして用いられてよい。一実施例では、複数の光学構造は２セットの色、例えば、Ｒ１Ｇ１Ｂ１及びＲ２Ｇ２Ｂ２を生じさせてよく、これらは、バックライト付き立体液晶ディスプレイで用いられてよい。光学構造を用いることにより、光学構造へと戻る、より広い帯域幅の光を再利用して、より明るいバックライト構造を製造することができる。
【００８５】
一実施形態では、ＬＥＤなど励起源と共に量子ドットが用いられて、バックライトに用いる、調整された、狭帯域光源を成してよく、広い色域及び立体視での低いクロストークをもたらす。量子ドット又は蛍光体は、特定の適切な中心波長及び狭スペクトル分布を有するように設計された複数のエミッタであってよい。量子ドットエミッタ及び補助光源は、多機能ディスプレイに用いられ得る、適切なスペクトルエミッタグループを形成することができる。一実施例では、形成され得るスペクトルエミッタグループは、Ｒ１Ｇ１Ｂ１及びＲ２Ｇ２Ｂ２であってよい。補助光源としては、ＬＥＤ、レーザー、半導体レーザー、半導体光源、及びこれらの組み合わせなどが挙げられ得るが、これらに限定されない。
【００８６】
光学構造は、入力フィルタと、エミッタ領域と、出力フィルタと、を含んでよい。この光学構造は、ディスプレイでのより広い色域を実現するために、より多くの飽和色を生じさせてよい。更に、光学構造は、光学構造へと戻る、より広い帯域幅の光を再利用して、より明るいバックライト構造を製造することができる。光の再利用については、本明細書で詳述する。
【００８７】
一実施例では、出力フィルタは、ある帯域の波長、例えば、λ青色１＋／−Δλ青色１を透過し、別の帯域の波長、例えば、λ黄色１＋／−Δλ黄色１を反射してよい。エミッタ領域は、蛍光体又は量子ドットなどエミッタ材料を含んでよく、λ青色１＋／−Δλ青色１など短波長光によって励起されてよい。続いて、複数のエミッタ又はエミッタ材料は、λ緑色１＋／−Δλ緑色１及び／又はλ赤色１＋／−Δλ赤色１など１つ以上の特定のより長い波長で光を放射するように調整されてよい。更に、出力フィルタは、例えば、λ青色１＋／−Δλ青色１１、λ緑色１＋／−Δλ緑色１１、及び／又はλ赤色１＋／−Δλ赤色１１）など１つ以上の帯域の波長を透過してよい。透過光の帯域幅は、入力光よりも実質的に狭くてよい。狭帯域外の光又は波長は、エミッタ領域及び入力フィルタに向けて戻るように出力フィルタによって反射されてよい。したがって、この光は、エミッタ領域内のエミッタ材料を励起し、出力フィルタを透過できる光を生じさせてよい。加えて、エミッタ領域から生じ、入力フィルタに向けて戻るように移動する光は、入力フィルタによって出力フィルタに向けて反射されて、出力光の明度を実質的に向上してよい。
【００８８】
光学構造の入力フィルタ及び／又は出力フィルタは、薄膜形成技術を使用して構成されたダイクロイックフィルタであってよい。光学構造の一部は、反射キャビティ内に含まれてよい。反射キャビティは、エミッタ領域内の励起光を増加させ、本明細書の少なくとも図１６に関して示し、記載するように、出力フィルタを出射する光量を増加させるために白色壁又は金属化壁を有してよい。
【００８９】
概して、積分器は、ＬＥＤなど励起源と入力フィルタとの間に配置されて、少なくとも図１５に関して示し、記載するように、エミッタ領域に達する前に励起光を実質的に均質化してよい。積分器は、白色壁のキャビティ、ライトパイプ、及び／又は拡散器（本明細書で詳述する）であってよい。
【００９０】
角度減少素子は、光学構造内に含まれてよい。この角度減少素子（angle reducing angle）は、３Ｍ  ＢＥＦ  ＩＩテープなど任意の種類のプリズムテープであってよい。概して、角度減少光学素子は、プリズムフィルム、成形構造体、円柱レンズアレイ、球面レンズアレイ、これらの任意の組み合わせなどであってよい。角度変換素子はまた、光学構造内に含まれてよい。角度変換素子は、テーパー状ライトパイプ又は複合放物集光器など非結像光学系であってよい。角度変換素子は、少なくとも図１５に示し、本明細書に記載するように、エミッタ領域と出力フィルタとの間に配置されて、フィルタのカットオフ転移角が小さくなるようにフィルタ面における光の入射角を制御してよい。
【００９１】
光学構造はまた、角度増加素子を含んでよい。角度増加素子は、単独としての拡散フィルム、光学粗面、レンチキュラレンズフィルム、又はこれらの組み合わせなどのうちのいずれかであってよい。角度増加素子は、本明細書の少なくとも図１５に関して示し、記載するように、出力フィルタの後ろに配置されて、バックライトの導光板部分に入射する光の均一性を向上してよい。
【００９２】
光学構造内には、光学スペーサも含まれてよい。光学スペーサは、光学的に厚いプレートであってよく、出力フィルタと導光板との間に含まれて、導光板の側部に沿って光学構造と実質的にシームレスに隣接できるようにしてよい。これは、本明細書の少なくとも図１９に関して示し、記載する。
【００９３】
光学構造は、導光板及びディスプレイの照明光源として用いられてよい。ディスプレイは多機能ディスプレイであってよく、２Ｄ画像又は立体画像を表示してよい。この光学構造を使用すると、立体画像がディスプレイ又はＬＣＤにアドレッシングされてよく、ＬＣＤ及びバックライトは、ＬＣＤ上の左目画像又は右目画像が分光された光源によって照らされるようにスクロールされてよい。これらの分光された光源は、別個の光学構造によってもたらされてよい。別個の光学構造は、導光板に光をもたらしてよい。ある光学構造は、１つ以上の導光板に光をもたらしてよく、１つ以上の光学構造は、１つの導光板に光をもたらしてよく、又は、任意の数の光学構造は任意の数の導光板に光をもたらしてよい。左目画像及び右目画像は、本明細書の少なくとも図２０に示し、記載するように、高コントラスト及び低立体視クロストークを得るために、ＬＣスイッチング期間中に照明の暗帯によって分離されてよい。別個の２つ以上の光学構造は、少なくとも２セットの色、例えば、Ｒ１Ｇ１Ｂ１及びＲ２Ｇ２Ｂ２を生じさせてよい。これらの光学構造は、少なくとも図２０に関して示し、記載するように、バックライト付き立体液晶ディスプレイに用いられてよい。
【００９４】
一実施例では、スペクトル的に異なる光学構造が同一の導光板を照明してよく、時系列法で駆動されて、液晶ディスプレイパネルに順次送られ得る左目画像及び右目画像と同期して導光板を照らしてよい。これは、少なくとも図２０に関して示し、記載する。
【００９５】
立体システムについて更に付け加えると、立体視用アイウェア内の隣接する通過帯域と出力フィルタとの間にスペクトル間隙を配置してよい。スペクトル間隙は、約５ナノメートルであってよい。出力フィルタの通過帯域は、少なくとも図１７に関して示し、記載するように、アイウェアの通過帯域に対して赤方偏移していて、出力フィルタにおける、広い範囲の光入射角にわたって低立体視クロストークをもたらしてよい。
【００９６】
図１０に示すように、各スペクトルエミッタグループの光源及び量子ドットは、導光板（ＬＧＰ）の両端において縦積みされてよい。図１０は、バックライト構造の一実施形態を示す概略図である。図１０のバックライト構造１００５は、光源１０００と、通過フィルタ１０１０と、エミッタ領域１０２０と、調整フィルタ１０３０と、拡散器１０４０と、導光板１０５０と、を含む。光源１０００、並びに通過フィルタ１０１０、エミッタ領域１０２０、調整フィルタ（tri filter）１０３０、拡散器１０４０は、ＬＧＰの両端に配置されて、任意の特定の画像フレーム中に両側からＬＧＰを照らしてよく、したがって、より均一な照明光源をもたらす。光源１０００は、図１０においてＬＥＤとして示し、本明細書においてＬＥＤとして記載するが、光源１０００は、ＬＥＤ、レーザー、半導体レーザー、半導体照明光源、これらの任意の組み合わせなどを含むが、これらに限定されない、任意の適切な光源であってよい。図１０では、通過フィルタ１０１０、エミッタ領域１０２０、及び調整フィルタ１０３０は、キャビティ内に含まれてよい。キャビティについては、本明細書に詳述する。
【００９７】
図１０についての説明を続けると、光源１０００は、波長帯を透過し得る、通過フィルタ１０１０に照明をもたらしてよい。一実施例では、通過フィルタ１０１０は青色通過フィルタであってよい。通過フィルタ１０１０は、適切な波長をもたらす、任意の適切なフィルタであってよい。更に、通過フィルタ又は通過帯域フィルタは、第１波長帯域を透過するように作動し、第２波長帯域を反射するように作動する、任意の入力フィルタであってよい。一実施例では、短波長光がエミッタ領域にもたらされ、エミッタ領域内の複数のエミッタ又はエミッタ材料に対する励起源として機能するように作動してよい。この実施例では、透過波長帯域は、４００〜４８０ｎｍの適切な範囲であってよく、反射波長は、４８０〜７００ｎｍの適切な範囲であってよい。次いで、透過された波長又は波長帯域は、エミッタ領域にもたらされてよい。この波長帯域は、エミッタ材料を励起するように作動してよい。エミッタ材料は、蛍光体又は量子ドットであってよく、短波長光によって励起されてよい。更に、複数のエミッタは、１つ以上の予め定められた波長で光を放射するように調整されてよく、この１つ以上の予め定められた波長は、励起波長よりも長くてよい。量子ドットはまた、本明細書において「ＱＲ」又は量子レール（quantum rail）と示される、及び／又は呼ばれる。加えて、用語「エミッタ」及び「エミッタ材料」は、本明細書において同じ意味で使用され得る。出力フィルタは、１つ以上の波長を透過するように作動してよく、透過された波長は、入力光の波長よりも狭い帯域幅を有してよい。
【００９８】
この波長帯域がエミッタ領域にもたらされると、複数のエミッタは、短波長光によって励起されてよく、バックライトにとって適切な波長又は波長帯域又は色を生じさせる。この波長帯域は、所望の狭帯域よりも広くてよく、したがって調整フィルタ１０３０を用いてよい。調整フィルタは、エミッタ領域から受け取った発光波長帯域をＬＰＧによって用いられる適切な狭波長帯域へと狭小化するように作動してよい。一部の波長は、調整フィルタを透過する、適切な狭波長帯域内ではないために、調整フィルタを通過しないことがある。狭帯域外のこれらの波長は、「色の再利用」が行われ、反射して放射領域へと戻されてよく、放射領域内の複数のエミッタを励起して光を更に生じさせるように作動してよい。この光は、出射して調整フィルタに戻ってよい。
【００９９】
図１０に示すように、ＬＧＰ入射面において、拡散器又は均一性制御フィルム１０４０（３Ｍ  Ｃｏｒｐｏｒａｔｉｏｎによって提供される均一性フィルムなど）は、ＬＰＧ内部での入射角の（ＡＯＩの）照明を増加させるために、ＬＧＰによって、空間を置いて付近に配置される、隣接する、取り付けられる、合わせて成形される、これらの任意の組み合わせなどであってよい。これにより、短光路にわたってＬＧＢ内部における、実質的に均一な照明分布が可能になる。拡散器１０４０は、バックライトに対して任意の素子であってよい。
【０１００】
図１０に示すように、通過フィルタ１０１０は、接着剤１０６０によってエミッタ領域１０２０に取り付けられてよい。同様に、エミッタ領域１０２０は、調整フィルタ１０３０に取り付けられてよく、拡散器１０４０は、接着剤１０６０を介してＬＧＰに取り付けられてよい。接着剤は、感圧接着剤テープ、エポキシ、紫外線接着剤、任意のこれらの組み合わせなどが挙げられるが、これらに限定されない、任意の適切な接着剤であってよい。図１０では、通過フィルタとエミッタ領域との間、エミッタ領域と調整フィルタとの間、及び拡散器とＬＧＰとの間の接着剤がすべて１０６０と表記されているが、これらは、同一接着剤であっても、そうでなくてもよいことに留意されたい。
【０１０１】
図１０は、照明光源を含むＬＥＤを９つのみ示しているが、これよりも少ない光源又は多い光源が照明光源を含んでよい。同様に、３つの導光パネルが存在するが、必要に応じてこれよりも多いＬＧＰ又は少ないＬＧＰが用いられてよい。量子レール及び通過フィルタは、限定ではなく、例示のみを目的として３素子として示されている。光学構造には任意の数の量子レールが存在してよい。量子レールの数は、主としてパネルの垂直解像度（例えば１９２０×１０８０）に関連してよい。一実施形態では、１０未満の量子レールが光学構造で用いられてよい。加えて、図１０では、量子レールと通過フィルタとの間に断絶部が示されているが、これは例示のみを目的としており、限定するものではない。光学構造では、断絶部が存在し得るが、均一性を著しく損なうことはないであろう。図１１は、図１０に類似の、バックライト構造の別の実施形態を示す概略図である。図１１に示すように、バックライト構造１１０５の別の実施形態は、照明光源１１００と、通過フィルタ１１１０と、放射領域１１２０と、プリズムフィルム１１２５と、調整フィルタ１１３０と、拡散器１１４０と、ＬＧＰ  １１５０と、を含む。図１０と同様に、バックライト構造１１０５はまた、接着剤１１６０を含む。
【０１０２】
図１１に示すように、プリズムフィルム１１２５（３Ｍ  Ｃｏｒｐｏｒａｔｉｏｎによって提供されるＢＥＦフィルムなど）は、量子ドットと調整フィルタとの間に配置されて、調整フィルタを通る入射角を制御してよい。量子ドット（he quantum dots）又は放射領域１１２０及び通過フィルタ１１１０は、プリズムフィルムの入射面に組み込まれてよく、同様に、調整フィルタ１１３０は、プリズムフィルムの出射面に組み込まれてよい。例えば、コーティング用に別個のプレートを作製するのではなく、プリズム構造上にコーティングを被覆してよい。放射領域１１２０及び通過フィルタ１１０、並びに／又は調整フィルタ１１３０のいずれか１つ又は両方を、プリズムフィルムの入射面及び出射面にそれぞれ組み込んでよい。
【０１０３】
更に別の実施形態では、調整フィルタは、ダイクロイックフィルタ又はポリマーフィルタであってよく、バックライト構造に追加されて、特定の色帯での放射を更に狭小化してよく、したがって、図１０及び１１に示すように、非飽和色及び立体視クロストークをもたらす望ましくない放射を阻止ししてよい。調整フィルタが導光板の一端に配置される場合、これはまた、ＬＧＰの反対側に配置された他のスペクトルエミッタグループの放射を実質的に反射して導光板へと戻すように作動してよく、したがって、非飽和色及び立体視クロストークをもたらす望ましくない放射を阻止する。
【０１０４】
ＬＣＤの色フィルタアレイを厚くすると、狭帯域放射を向上し、隣接色又は近辺色が対象の色を非飽和にしないようにすることもできる。
【０１０５】
図１０及び１１の両方に示すように、通過帯域フィルタは、励起又は照明光源と放射領域又は量子ドットとの間に配置されてよい。通過帯域フィルタは、量子ドットから放射される光を実質的に励起源から遠ざけて、導光板に向かうように反射するように機能してよい。更に、通過帯域フィルタは、第１波長帯域を透過するように作動し、第２波長帯域を反射するように作動する、任意の入力フィルタであってよい。励起源は青色又は紫外線であってよいが、一実施例では、励起源は青色ＬＥＤであってよい。概して、蛍光体及び量子ドットにとって適切な励起波長は、放射波長よりも低くてよい。
【０１０６】
ダイクロイック調整フィルタの透過は、フィルタに入射する光の入射角（ＡＯＩ）に依存してよい。透過帯域は、ＡＯＩが増加するにつれてスペクトルの青色部分に向けて偏移してよい。これにより、両目の視野間で立体視クロストークが生じ得る。非結像光学系（ＮＩＯ）は、図１２に示すように、実質的に等方放射する量子ドットと調整フィルタとの間に挿入されて、高ＡＯＩ源から低ＡＯＩ源へと放射を移行させ、それによって立体コントラストを向上させてよい。
【０１０７】
図１２は、バックライト構造１２０５の別の実施形態を示す概略図である。図１２に示すように、バックライト構造１２０５は、照明光源１２００と、通過フィルタ１２１０と、放射領域１２２０と、非結像光学系１２２５と、調整フィルタ１２３０と、拡散器１２４０と、ＬＰＧ  １２５０と、を含む。図１０及び１１と同様に、バックライト構造１２０５はまた、接着剤１２６０を含む。ＮＩＯは、テーパー状ライトパイプ、複合放物集光器（ＣＰＣ）、レンズ、これらの任意の組み合わせなどの形態であり得るが、これらに限定されるものではない。テーパー状ライトパイプ又はＣＰＣの場合、テーパーは、一次元又は二次元であってよく、この構造は、ガラス、プラスチック、又は空気で充填されてよい。ＮＩＯが一次元のテーパー状である場合、ＮＩＯの出力においてほぼ直交次元にある光の角度は、ＮＩＯの出射面に成形されたプリズム構造で主として制御される。また、図１２に示すように、放射領域又は量子ドット１２２０は、ＮＩＯに組み込まれてよい。図１２では、調整フィルタとＮＩＯとの間に間隙が示されている。調整フィルタ及びＮＩＯは、相当量の光がＮＩＯからフィルタへと通過し得るように突き合わせ結合されてよい。あるいは、調整フィルタとＮＩＯとの間に接着剤層が存在してよい。
【０１０８】
通過フィルタは、各ＮＩＯに対して１つの通過フィルタが個別素子として示されているが、通過フィルタは、２つ、３つなどの入力領域、又はすべてのＮＩＯを対象とするより大きいフィルタであってよい。反対に、調整フィルタ及び拡散器又は均一性テープは図１２で単一要素として示すが、調整フィルタ及び拡散器は、複数要素であってよい。
【０１０９】
図１３は、非結像光学素子の実施形態を示す概略図である。図１３に示すように、量子ドット又はエミッタ領域１３２０、調整フィルタ１３３０、及び青色フィルタ１３１０は、ＮＩＯ構造１３２５にそれぞれ組み込まれてよい。換言すると、青色フィルタ及び調整フィルタは、それぞれＮＩＯの入射面及び出射面にコーティングされてよい。例えば、量子ドット、調整フィルタ、及び青色フィルタは、量子ドット材料にキャビティをもたらすか、図１３に示すようにＮＩＯの出射面又は入射面に直接コーティングすることにより組み込まれてよい。図１３では、通過フィルタ１３１０は、ＮＩＯ  １３２５の入射面をコーティングすることにより作製されてよく、調整フィルタ１３３０は、ＮＩＯの出射面及び／又はファセットをコーティングすることにより作製されてよい。
【０１１０】
ＮＩＯに組み込まれている量子ドットの場合、量子ドットは、ライトパイプをコーティングするか、白色の外側をオーバーモールドすることにより形成されたキャビティ内に組み込まれてよい。ここでは、ＮＩＯのテーパー状端部にある、又はその付近にある一面は、実質的に励起源に向いており、別の出射面は実質的にＮＩＯの角度変換部、例えば、図１３に示すようにテーパー状ライトパイプの幅広端部に向いている。図１３に示すように、キャビティ１３８０は、白色にコーティングされるか、オーバーモールドされてよいが、ライトパイプ１３９０のテーパー状領域はコーティングされていなくてよい。キャビティは、白色材料でコーティングされて、等方放射する量子ドットからの放射を反射し、散乱させて放射材料へと戻してよい。加えて、ライトパイプのテーパー状領域はコーティングされておらず、全反射を用いることによりライトパイプ内で入射角を維持し、反射を高めてよい。ＮＩＯは、光学構造内で角度変換素子として機能してよい。
【０１１１】
ＬＧＰを出射する不均一照明の実施例では、図１４に示すように、ＬＣＤ透過は（電子的に）漸減して不均一な照明を補償し、均一に照らされた画像をもたらしてよい。図１４は、漸減する照明が補償されたＬＣＤ透過の実施形態を示す概略図である。図１４の実施例に示すように、導光板１４５０は、不均一な照明をもたらしてよい。この実施例では、導光板１４５０は、Ａ側に少ない照明をもたらしてよく、Ｂ側に多くの照明をもたらしてよい。この不均一な照明を補償するために、ＬＣＤ  １４５５は、量子的に漸減してよく、Ｃ側に高い透過レベルをもたらし、Ｄ側に低い透過レベルをもたらしてよい。結果として、ＬＣＤディスプレイは実質的に均一に表示し得る。
【０１１２】
図１６は、白色キャビティアセンブリの一実施形態を示す概略図である。これまでの図と同様に、図１６には、照明光源１６００と、第２拡散器１６０３と、通過フィルタ１６１０と、量子レール１６２０と、プリズムフィルタ１６２５と、調整フィルタ１６３０と、拡散器１６４０と、が含まれる。図１６にはまた、キャビティ１６０２及びスペーサ領域１６３５が含まれる。スペーサ領域１６３５により、付近のキャビティアセンブリがスペーサ端部において隣接し、スペーサ面全体で実質的に均一の照明を提供できる。照明光源１６００、第２拡散器１６０３、通過フィルタ１６１０、量子レール１６２０、プリズムフィルタ１６２５、調整フィルタ１６３０、及び拡散器１６４０は、キャビティ１６０２内に含まれてよい。キャビティ１６０２は、エミッタ領域において励起光を増加させ、出力フィルタを出射する光量を増加するために、白色又は金属化キャビティ壁、銀色壁、これらの任意の組み合わせなどを有し得る反射キャビティであってよい。更に、量子レールの端壁はまた、光が実質的にリークしないように反射、白色、及び／又は金属化壁であってよい。一方、残りの量子レールは透過性のままであってよい。照明光源のごく一部、具体的には、図１６のＬＥＤがキャビティ１６０２内に含まれているが、照明光源のすべてがキャビティ１６０２内に含まれていてよいか、光源がキャビティ１６０２の外にあって、光はキャビティ１６０２に結合されてよい。
【０１１３】
多機能ディスプレイからの画像、例えば、立体画像をデコードするためのアイウェアは、ダイクロイックフィルタ又はスペクトル依存性偏光制御フィルタのポリマースタックを実装してよい。図１７に示す一実施例では、スペクトル間隙（例えば、約５ｎｍ）が、立体視用アイウェア内の隣接する通過帯域とバックライト構造の出力フィルタとの間に配置されてよい。図１７は、調整フィルタとアイウェアとの波長間隙を示すグラフである。出力フィルタの通過帯域又はバックライト構造の調整フィルタは、アイウェアの通過帯域に対して赤方偏移していて、出力フィルタにおける、広い範囲の光入射角にわたって低立体視クロストークをもたらしてよい。
【０１１４】
本明細書に記載するように、多機能ＬＣＤディスプレイ用バックライトは、広い色域及び高い立体コントラストを含んでよい。加えて、向上した光効率、高い色補正効率、及び良好な左右の輝度バランスを実現し得る。
【０１１５】
一実施形態では、光学構造は、液晶ディスプレイバックライト用の狭帯域の高色飽和光源又は一般照明、例えば精密な色彩照明であってよい。この光学構造を用いて、より広い表示色域を得るためにより多くの飽和色を生じさせてよく、また、これを用いて、より広い帯域幅の光を再利用して光学構造に戻すことによって、より明るいバックライト構造を製造してよい。図１８に示すように、光学構造は、少なくとも励起源、例えば青色ＬＥＤ（図１８に図示せず）、及び第１帯域の波長を透過し、第２帯域の波長を反射するための入力フィルタを含んでよい。
【０１１６】
図１８は、調整フィルタとアイウェア透過との間での青色偏移に関するリークの低減を示す概略図である。図１８に示すように、入力フィルタ１８１０は、励起源又は照明光源からの初期光又は照明を受けてよい。初期光は、入力フィルタ１８１０を通過し、エミッタ領域１８２０に入射してよい。初期光は、放射領域を直接通過し、更に出力フィルタ１８３０を通過してよい。あるいは、入力フィルタ１８１０における初期光は、放射領域１８２０内の一部のエミッタに遭遇してよい。初期光によって励起されると、エミッタは、第２サブセットの光であり得る放射光を生じさせてよい。放射光は、入力フィルタ１８１０に戻される方向、又は出力フィルタ１８３０に向かう別方向のいずれかに向けられてよい。入力フィルタ１８１０における放射光は、入力フィルタから反射されてエミッタ領域に戻されてよく、光の再利用プロセスが再開されてよい。その一方では、出力フィルタ１８３０に向けられた放射光は、部分的に出力フィルタを通過するように方向付けられ、部分的に反射されてエミッタ領域１８２０に戻される。エミッタ領域１８２０内の部分的に反射された光は、光再利用プロセスを再開する。
【０１１７】
一実施形態では、透過された第１帯域の波長はλ青色１＋／−Δλ青色１であってよく、反射された第２帯域の波長は、λ黄色１＋／−Δλ黄色１であってよい。光源はまた、エミッタ領域を含む。エミッタ材料は蛍光体又は量子ドットであってよく、短波長光、例えば、λ青色１＋／−Δλ青色１によって励起されてよい。エミッタ材料は、１つ以上の特定のより長い波長、例えば、λ緑色１＋／−Δλ緑色１、及び／又はλ赤色１＋／−Δλ赤色１で光を放射するように調整されてよい。光源はまた、１つ以上の帯域の波長、例えば、λ青色１＋／−Δλ青色１１、λ緑色１＋／−Δλ緑色１１１、及び／又はλ赤色１＋／−Δλ赤色１１を透過するための出力フィルタを含んでよく、透過光の帯域幅は、入力光よりも実質的に狭くてよい。
【０１１８】
前述したように、狭小化された帯域幅外の光は、出力フィルタによってエミッタ領域及び入力フィルタに向けて戻すように実質的に反射されてよくエミッタ材料を励起し、光を生じさせる機会を有してよい。次いでこの光は、出力フィルタを透過してよい。エミッタ領域によって生成された、つまり生じた光はまた、入力フィルタに向けて戻るように進んでよく、入力フィルタによって出力フィルタに向けて反射されて、出力光の明度を実質的に向上させてよい。一実施例では、入力フィルタ及び出力フィルタはダイクロイックフィルタであってよく、薄膜形成技術を用いて構築されてよい。この実施例について更に付け加えると、角度減少素子、例えば、３Ｍ  ＢＥＦ  ＩＩなどプリズムテープ、又は角度変換非結像光学系、例えば、テーパー状ライトパイプ又は複合放物集光器がエミッタ領域と出力フィルタとの間に配置されて、フィルタ面付近における光の入射角がフィルタカットオフ転移角未満となるように実質的に制御してよい。
【０１１９】
図１５は、バックライト構造の別の実施形態を示す概略図である。図１５には、照明光源１５００、拡散器１５４２、通過フィルタ１５１０、放射領域１５２０、プリズムフィルム１５２５、調整フィルタ１５３０、拡散器１５４０、及びＬＧＰ  １５５０が含まれる。拡散器１５４２及び拡散器１５４０は任意である。加えて、図１５の光学構造は、プリズムフィルム１５２５を用いても、用いなくてもよい。更に、照明光源１５００はＬＥＤとして示しているが、本明細書に記載のように、任意の適切な照明光源であってよい。
【０１２０】
図１５は、拡散器フィルム１５４０、光学粗面、又はレンチキュラレンズフィルムなど角度増加素子を示しており、これはまた、出力又は調整フィルタ１５３０の後ろに配置されて、バックライトの導光板部分に入射する光の均一性を向上してよい。図１５はまた、白色壁のキャビティ、ライトパイプ、及び／又は拡散器など積分器１５０７を示しており、これはまた、ＬＥＤなど励起源と入力フィルタ又は通過フィルタ１５１０との間に配置されて、エミッタ領域１５２０に達する前に励起光を実質的に均質化してよい。図１５では、積分器、拡散器、青色フィルタ、エミッタ、ＢＥＦシート、及び調整フィルタは、図１６に示すようにキャビティ内に重ねられてよい。
【０１２１】
一実施例では、図２０に示すようにバックライト付き立体液晶ディスプレイで用いるために、１つ以上の構造が用いられて、２セットの色、例えば、Ｒ１Ｇ１Ｂ１及びＲ２Ｇ２Ｂ２を生じさせてよい。これもまた図２０に示すように、光学構造はスペクトル的に異なってよく、同一の導光板を照らしてよく、時系列法で駆動されてよくて、液晶ディスプレイパネルに順次送られ得る左目画像及び右目画像とほぼ同期して導光板を照らす。単一ＬＧＰと対になった単一光学構造として示しているが、１つ以上の光学構造を単一ＬＧＰと対にしてよく、複数のＬＧＰを単一光学構造と対にしてよく、他についても同様である。図２０については、以下で詳述する。
【０１２２】
図１９は、隣接する光学構造及び導光板部分の実施形態を示す概略図である。図１９は、光学構造１９０１Ａ、光学構造１９０２、ＬＧＰ  １９５０、及びＬＧＰ  １９５２を含む。光学構造１及び２は、どちらも照明光源１９００、キャビティ１９０３、及びスペーサ１９３５を含む。キャビティ１９０３は、拡散器１９４２、通過フィルタ１９１０、放射領域１９２０、プリズムフィルム１９２５、調整フィルタ１９３０、及び拡散器１９４０を含んでよい。図１９に示す要素は、前述の図、実施例、及び実施形態で同様に名付けた要素に相当する。図１９は２つの光学構造及び２つのＬＧＰのみを示しているが、任意の数の光学構造及びＬＧＰを任意の組み合わせで用いてよい。例えば、１つの光学構造が１つ以上のＬＧＰに対応してよく、１つのＬＧＰが複数の光学構造のうちの１つに対応してよく、光学構造及びＬＧＰの任意の組み合わせが互いに対応してよい。
【０１２３】
図１９に示すように、光学的に厚いプレートなどの光学スペーサ１９３５は、出力フィルタと導光板との間に含まれて、照明間隙が実質的に低減され得るか、除去され得るように、導光板の側部に沿って光学構造と実質的にシームレスに隣接できるようにしてよい。図１９の光学構造は、互いに最も近い、隣接する（abutting）、互いに隣接する（adjacent to one another）などであってよい。
【０１２４】
図２０は、バックライト付き立体視スクロール構造の実施形態を示す概略図である。図２０に示すように、立体画像は、ＬＣＤにアドレッシングされてよく、バックライトは、ＬＣＤ上の左目画像又は右目画像が、別個の光学構造からの実質的に分光された光源によって照らされるようにスクロールされてよい。左側画像及び右側画像は、高コントラスト及び低立体視クロストークを得るために、ＬＣスイッチング期間中に照明の暗帯によって分離されてよい。
【０１２５】
本明細書で使用されるとき、用語「実質的に」及び「およそ（ほぼ）」は、それに対応する用語及び／又は項目間の相対性に対して、業界で受け入れられる許容範囲を付与するものである。業界で受け入れられるかかる許容範囲は、１パーセント未満〜１０パーセントの範囲であり、成分値、角度などが該当するが、これらに限定されない。このような、項目間の相対性は、１パーセント未満〜１０パーセントの範囲である。
【０１２６】
本明細書に開示する原理による、様々な実施形態を上述してきたが、これらの実施形態は、ただ例示を目的としてのみ示されたのであり、限定するために示されたのではないことに留意されたい。したがって、本開示の広さ及び範囲は、上述した例示的な実施形態のいずれによっても限定されるものではなく、請求項のいずれか、及び本開示に由来するそれらの等価物によってのみ定義されるべきである。更に、上述の利点及び特徴は記載した実施形態において提供されるが、かかる生じる特許請求の範囲の用途を、上述の利点のいずれか又はすべてを達成するプロセス及び構造に限定するものではない。
【０１２７】
加えて、本明細書におけるセクションの見出しは、３７  ＣＦＲ  １．７７の規定するところに従って、さもなくば、編成上の目印として提供されるものである。これらの見出しは、本開示から生じ得る請求項に定める実施形態を限定したり又は特徴付けたりしないものとする。具体的には、単に例示として、「技術分野」という見出しがあるが、いわゆる技術分野を説明するためにこの見出しの下に選択された表現によって、かかる特許請求の範囲が限定されることはない。更に、「背景技術」における技術の説明は、技術が本開示における任意の実施形態の従来技術であるという承認と解釈されるべきではない。「発明の概要」も、生じる特許請求の範囲において定める実施形態の特性付けと見なすべきではない。更に、本開示においては、単数形での「発明」に対するいずれの言及も、本開示における新規な点が１つのみである、ということを主張するために使用されるべきではない。複数の実施形態は、本開示から生じる複数の請求項の限定に従って、述べられる場合がある。したがって、かかる請求項は、この実施形態及びそれらの同等物を定義することによって、それらを保護している。すべての例において、かかる請求項の範囲は、本開示に照らして、固有の利点が考慮されるべきであり、本明細書で定める見出しによって制約されてはならない。
【図１】
0006388600.tif 000002
【図２】
0006388600.tif 000003
【図３】
0006388600.tif 000004
【図４Ａ】
0006388600.tif 000005
【図４Ｂ】
0006388600.tif 000006
【図４Ｃ】
0006388600.tif 000007
【図４Ｄ】
0006388600.tif 000008
【図４Ｅ】
0006388600.tif 000009
【図４Ｆ】
0006388600.tif 000010
【図４Ｇ】
0006388600.tif 000011
【図４Ｈ】
0006388600.tif 000012
【図４Ｉ】
0006388600.tif 000013
【図４Ｊ】
0006388600.tif 000014
【図４Ｋ】
0006388600.tif 000015
【図４Ｌ】
0006388600.tif 000016
【図５】
0006388600.tif 000017
【図６】
0006388600.tif 000018
【図７Ａ】
0006388600.tif 000019
【図７Ｂ】
0006388600.tif 000020
【図７Ｃ】
0006388600.tif 000021
【図７Ｄ】
0006388600.tif 000022
【図７Ｅ】
0006388600.tif 000023
【図７Ｆ】
0006388600.tif 000024
【図７Ｇ】
0006388600.tif 000025
【図７Ｈ】
0006388600.tif 000026
【図８Ａ】
0006388600.tif 000027
【図８Ｂ】
0006388600.tif 000028
【図８Ｃ】
0006388600.tif 000029
【図８Ｄ】
0006388600.tif 000030
【図８Ｅ】
0006388600.tif 000031
【図８Ｆ】
0006388600.tif 000032
【図８Ｇ】
0006388600.tif 000033
【図８Ｈ】
0006388600.tif 000034
【図９】
0006388600.tif 000035
【図１０】
0006388600.tif 000036
【図１１】
0006388600.tif 000037
【図１２】
0006388600.tif 000038
【図１３】
0006388600.tif 000039
【図１４】
0006388600.tif 000040
【図１５】
0006388600.tif 000041
【図１６】
0006388600.tif 000042
【図１７】
0006388600.tif 000043
【図１８】
0006388600.tif 000044
【図１９】
0006388600.tif 000045
【図２０】
0006388600.tif 000046